(57)【要約】  第１の無線アクセス技術（ＲＡＴ）と第２のＲＡＴとの間の周波数重複キャリアのサポートを提供するための、方法およびネットワークノードが提供される。第１のＲＡＴ無線デバイスにシグナリングするための第２のＲＡＴ情報が決定される。第１のＲＡＴ無線デバイスが、リソースエレメントレベルにおいて、第２のＲＡＴ送信のために予約されたリソースを決定することを可能にするように設定された第２のＲＡＴ情報。第２のＲＡＴ情報が第１のＲＡＴ無線デバイスに通信されることを引き起こされる。【選択図】図１
2020512778.tif 000002
【特許請求の範囲】
【請求項１】
第１の無線アクセス技術（ＲＡＴ）と第２のＲＡＴとの間の周波数重複キャリアのサポートを提供するための、ネットワークノード（１４）によって実施される方法であって、前記方法は、
第１のＲＡＴ無線デバイス（１６）にシグナリングするための第２のＲＡＴ情報を決定することであって、前記第２のＲＡＴ情報は、前記第１のＲＡＴ無線デバイス（１６）が、リソースエレメントレベルにおいて、第２のＲＡＴ送信のために予約されたリソースを決定することを可能にするように設定された、第２のＲＡＴ情報を決定すること（ブロックＳ１００）と、
前記第２のＲＡＴ情報が前記第１のＲＡＴ無線デバイスに通信されることを引き起こすこと（ブロックＳ１０２）と
を含む、方法。
【請求項２】
前記第２のＲＡＴ送信のために予約された前記リソースが、第１のシンボルの第１の複数のリソースエレメントを含み、
前記第２のＲＡＴ情報は、前記第１のＲＡＴ無線デバイス（１６）が、前記第１のシンボルの前記第１の複数のリソースエレメント上での第２のＲＡＴ送信を、前記第１のシンボルの第２の複数のリソースエレメント上での第１のＲＡＴ送信と区別することを可能にするように設定され、前記第１の複数のリソースエレメントが、前記第２の複数のリソースエレメントとは異なる、
請求項１に記載の方法。
【請求項３】
前記第２のＲＡＴ送信のための前記予約済みリソースが、同期信号送信、マスタ情報ブロック（ＭＩＢ）送信、システム情報ブロック（ＳＩＢ）送信、システム情報（ＳＩ）メッセージ送信、ダウンリンク制御情報送信、および参照信号送信のうちの少なくとも１つのために予約されたリソースに対応する、請求項１に記載の方法。
【請求項４】
前記参照信号送信が、セル固有参照信号の送信を含む、請求項３に記載の方法。
【請求項５】
前記第２のＲＡＴ情報が、
前記第２のＲＡＴ送信のために使用される少なくとも１つの物理リソースブロック（ＰＲＢ）インデックス、
第１のＲＡＴセルと第２のＲＡＴセルとの間のタイミング関係、
物理セル識別情報および少なくとも１つの参照信号ポートの少なくとも１つの番号、ならびに
第２のＲＡＴダウンリンク制御領域の指示
のうちの少なくとも１つを含む、請求項１に記載の方法。
【請求項６】
前記第２のＲＡＴ情報が、
システム情報ブロック（ＳＩＢ）スケジューリング情報、
前記第２のＲＡＴのための物理ダウンリンク共有チャネルビットマップパターン、
スケジューリング情報を含むシステム情報（ＳＩ）メッセージ、および
マルチブロードキャスト単一周波数ネットワーク（ＭＢＳＦＮ）設定情報
のうちの少なくとも１つを含む、請求項１に記載の方法。
【請求項７】
前記第２のＲＡＴ情報が、第１のＲＡＴセルと第２のＲＡＴセルとの間の周波数関係を含む、請求項１に記載の方法。
【請求項８】
前記第２のＲＡＴ情報は、第２のＲＡＴセルが、サイクリックプレフィックス（ＣＰ）および拡張ＣＰのうちの１つを使用するかどうかの指示を含む、請求項１に記載の方法。
【請求項９】
前記第１のＲＡＴが新しい無線（ＮＲ）であり、前記第２のＲＡＴがロングタームエボリューション（ＬＴＥ）である、請求項１に記載の方法。
【請求項１０】
第１の無線アクセス技術（ＲＡＴ）と第２のＲＡＴとの間の周波数重複キャリアのサポートを提供するためのネットワークノード（１４）であって、前記ネットワークノード（１４）は、
第１のＲＡＴ無線デバイス（１６）にシグナリングするための第２のＲＡＴ情報を決定することであって、前記第２のＲＡＴ情報は、前記第１のＲＡＴ無線デバイス（１６）が、リソースエレメントレベルにおいて、第２のＲＡＴ送信のために予約されたリソースを決定することを可能にするように設定された、第２のＲＡＴ情報を決定すること（Ｓ１００）と、
前記第２のＲＡＴ情報が前記第１のＲＡＴ無線デバイスに通信されることを引き起こすこと（Ｓ１０２）と
を行うように設定された処理回路（２２）
を備える、ネットワークノード（１４）。
【請求項１１】
前記第２のＲＡＴ送信のために予約された前記リソースが、第１のシンボルの第１の複数のリソースエレメントを含み、
前記第２のＲＡＴ情報は、前記第１のＲＡＴ無線デバイス（１６）が、前記第１のシンボルの前記第１の複数のリソースエレメント上での第２のＲＡＴ送信を、前記第１のシンボルの第２の複数のリソースエレメント上での第１のＲＡＴ送信と区別することを可能にするように設定され、前記第１の複数のリソースエレメントが、前記第２の複数のリソースエレメントとは異なる、
請求項１０に記載のネットワークノード（１４）。
【請求項１２】
前記第２のＲＡＴ送信のための前記予約済みリソースが、同期信号送信、マスタ情報ブロック（ＭＩＢ）送信、システム情報ブロック（ＳＩＢ）送信、システム情報（ＳＩ）メッセージ送信、ダウンリンク制御情報送信、および参照信号送信のうちの少なくとも１つのために予約されたリソースに対応する、請求項１０に記載のネットワークノード（１４）。
【請求項１３】
前記参照信号送信が、セル固有参照信号の送信を含む、請求項１２に記載のネットワークノード（１４）。
【請求項１４】
前記第２のＲＡＴ情報が、
前記第２のＲＡＴ送信のために使用される少なくとも１つの物理リソースブロック（ＰＲＢ）インデックス、
第１のＲＡＴセルと第２のＲＡＴセルとの間のタイミング関係、
物理セル識別情報および少なくとも１つの参照信号ポートの少なくとも１つの番号、ならびに
第２のＲＡＴダウンリンク制御領域の指示
のうちの少なくとも１つを含む、請求項１０に記載のネットワークノード（１４）。
【請求項１５】
前記第２のＲＡＴ情報が、
システム情報ブロック（ＳＩＢ）スケジューリング情報、
前記第２のＲＡＴのための物理ダウンリンク共有チャネルビットマップパターン、
スケジューリング情報を含むシステム情報（ＳＩ）メッセージ、および
マルチブロードキャスト単一周波数ネットワーク（ＭＢＳＦＮ）設定情報
のうちの少なくとも１つを含む、請求項１０に記載のネットワークノード（１４）。
【請求項１６】
前記第２のＲＡＴ情報が、第１のＲＡＴセルと第２のＲＡＴセルとの間の周波数関係を含む、請求項１０に記載のネットワークノード（１４）。
【請求項１７】
前記第２のＲＡＴ情報は、第２のＲＡＴセルが、サイクルプレフィックス（ＣＰ）および拡張ＣＰのうちの１つを使用するかどうかの指示を含む、請求項１０に記載のネットワークノード（１４）。
【請求項１８】
第１の無線アクセス技術（ＲＡＴ）と第２のＲＡＴとの間の周波数重複キャリアをサポートするための、無線デバイス（１６）によって実施される方法であって、前記方法は、
第２のＲＡＴ情報を受信すること（Ｓ１０４）と、
リソースエレメントレベルにおいて、前記第２のＲＡＴ情報に基づいて、第２のＲＡＴ送信のために予約されたリソースを決定すること（Ｓ１０６）と、
第１のＲＡＴリソースと第２のＲＡＴリソースとを含む送信を受信すること（Ｓ１０８）と、
前記第２のＲＡＴ情報に少なくとも部分的に基づいて、少なくとも第１のＲＡＴリソースを処理すること（Ｓ１１０）と
を含む、方法。
【請求項１９】
前記第２のＲＡＴ情報に少なくとも部分的に基づいて、前記第２のＲＡＴリソースを処理することをさらに含む、請求項１８に記載の方法。
【請求項２０】
前記第２のＲＡＴリソースが、第１のシンボルの第１の複数のリソースエレメントを含む、請求項１８に記載の方法。
【請求項２１】
前記リソースエレメントレベルにおいて、前記第１のシンボルの前記第１の複数のリソースエレメント上での第２のＲＡＴ送信のための予約済みリソースを、前記第１のシンボルの第２の複数のリソースエレメント上での第１のＲＡＴ送信のためのリソースと区別することをさらに含み、前記第１の複数のリソースエレメントが、前記第２の複数のリソースエレメントとは異なる、請求項２０に記載の方法。
【請求項２２】
前記第２のＲＡＴ送信のための前記予約済みリソースが、同期信号送信、マスタ情報ブロック（ＭＩＢ）送信、システム情報ブロック（ＳＩＢ）送信、システム情報（ＳＩ）メッセージ送信、ダウンリンク制御情報送信、および参照信号送信のうちの少なくとも１つのために予約されたリソースに対応する、請求項１８に記載の方法。
【請求項２３】
前記参照信号送信が、セル固有参照信号の送信を含む、請求項２２に記載の方法。
【請求項２４】
前記第２のＲＡＴ情報が、
前記第２のＲＡＴ送信のために使用される少なくとも１つの物理リソースブロック（ＰＲＢ）インデックス、
第１のＲＡＴセルと第２のＲＡＴセルとの間のタイミング関係、
物理セル識別情報および少なくとも１つの参照信号ポートの少なくとも１つの番号、ならびに
第２のＲＡＴダウンリンク制御領域の指示
のうちの少なくとも１つを含む、請求項１８に記載の方法。
【請求項２５】
前記第２のＲＡＴ情報が、
システム情報ブロック（ＳＩＢ）スケジューリング情報、
前記第２のＲＡＴのための物理ダウンリンク共有チャネルビットマップパターン、
スケジューリング情報を含むシステム情報（ＳＩ）メッセージ、および
マルチブロードキャスト単一周波数ネットワーク（ＭＢＳＦＮ）設定情報
のうちの少なくとも１つを含む、請求項１８に記載の方法。
【請求項２６】
前記第２のＲＡＴ情報が、第１のＲＡＴセルと第２のＲＡＴセルとの間の周波数関係を含む、請求項１８に記載の方法。
【請求項２７】
前記第２のＲＡＴ情報は、第２のＲＡＴセルが、サイクルプレフィックス（ＣＰ）および拡張ＣＰのうちの１つを使用するかどうかの指示を含む、請求項１８に記載の方法。
【請求項２８】
前記第１のＲＡＴが新しい無線（ＮＲ）であり、前記第２のＲＡＴがロングタームエボリューション（ＬＴＥ）である、請求項１８に記載の方法。
【請求項２９】
第１の無線アクセス技術（ＲＡＴ）と第２のＲＡＴとの間の周波数重複キャリアをサポートするための無線デバイス（１６）であって、前記無線デバイス（１６）が、
第２のＲＡＴ情報を受信することと、
リソースエレメントレベルにおいて、前記第２のＲＡＴ情報に基づいて、第２のＲＡＴ送信のために予約されたリソースを決定することと、
第１のＲＡＴリソースと第２のＲＡＴリソースとを含む送信を受信することと、
前記第２のＲＡＴ情報に少なくとも部分的に基づいて、少なくとも第１のＲＡＴリソースを処理することと
を行うように設定された処理回路（４２）を備える、無線デバイス（１６）。
【請求項３０】
前記処理回路（４２）が、前記受信された第２のＲＡＴ情報に少なくとも部分的に基づいて、前記第２のＲＡＴリソースを処理するようにさらに設定された、請求項２９に記載の無線デバイス（１６）。
【請求項３１】
前記第２のＲＡＴ送信のための前記予約済みリソースが、第１のシンボルの第１の複数のリソースエレメントを含む、請求項２９に記載の無線デバイス（１６）。
【請求項３２】
前記処理回路（４２）は、前記リソースエレメントレベルにおいて、前記第１のシンボルの第１の複数のリソースエレメント上での第２のＲＡＴ送信のための予約済みリソースを、前記第１のシンボルの第２の複数のリソースエレメント上での第１のＲＡＴ送信のためのリソースと区別するようにさらに設定され、前記第１の複数のリソースエレメントが、前記第２の複数のリソースエレメントとは異なる、請求項３１に記載の無線デバイス（１６）。
【請求項３３】
前記第２のＲＡＴ送信のための前記予約済みリソースが、同期信号送信、マスタ情報ブロック（ＭＩＢ）送信、システム情報ブロック（ＳＩＢ）送信、システム情報（ＳＩ）メッセージ送信、ダウンリンク制御情報送信、および参照信号送信のうちの少なくとも１つのために予約されたリソースに対応する、請求項２９に記載の無線デバイス（１６）。
【請求項３４】
前記参照信号送信が、セル固有参照信号の送信を含む、請求項３３に記載の無線デバイス（１６）。
【請求項３５】
前記第２のＲＡＴ情報が、
前記第２のＲＡＴ送信のために使用される少なくとも１つの物理リソースブロック（ＰＲＢ）インデックス、
第１のＲＡＴセルと第２のＲＡＴセルとの間のタイミング関係、
物理セル識別情報および少なくとも１つの参照信号ポートの少なくとも１つの番号、ならびに
第２のＲＡＴダウンリンク制御領域の指示
のうちの少なくとも１つを含む、請求項２９に記載の無線デバイス（１６）。
【請求項３６】
前記第２のＲＡＴ情報が、
システム情報ブロック（ＳＩＢ）スケジューリング情報、
前記第２のＲＡＴのための物理ダウンリンク共有チャネルビットマップパターン、
スケジューリング情報を含むシステム情報（ＳＩ）メッセージ、および
マルチブロードキャスト単一周波数ネットワーク（ＭＢＳＦＮ）設定情報
のうちの少なくとも１つを含む、請求項２９に記載の無線デバイス（１６）。
【請求項３７】
前記第２のＲＡＴ情報が、第１のＲＡＴセルと第２のＲＡＴセルとの間の周波数関係を含む、請求項２９に記載の無線デバイス（１６）。
【請求項３８】
前記第２のＲＡＴ情報は、第２のＲＡＴセルが、サイクルプレフィックス（ＣＰ）および拡張ＣＰのうちの１つを使用するかどうかの指示を含む、請求項２９に記載の無線デバイス（１６）。
【請求項３９】
前記第１のＲＡＴが新しい無線（ＮＲ）であり、前記第２のＲＡＴがロングタームエボリューション（ＬＴＥ）である、請求項２９に記載の無線デバイス（１６）。
【請求項４０】
第１の無線アクセス技術（ＲＡＴ）と第２のＲＡＴとの間の周波数重複キャリアのサポートを提供するためのコンピュータプログラム製品であって、前記コンピュータプログラム製品が、プロセッサによって実行されたとき、前記コンピュータプログラム製品に、請求項１から９のいずれか一項に記載の方法を実施させるコンピュータ可読プログラムコードを備える、コンピュータプログラム製品。
【請求項４１】
第１の無線アクセス技術（ＲＡＴ）と第２のＲＡＴとの間の周波数重複キャリアをサポートするためのコンピュータプログラム製品であって、前記コンピュータプログラム製品が、プロセッサによって実行されたとき、前記コンピュータプログラム製品に、請求項１８から２８のいずれか一項に記載の方法を実施させるコンピュータ可読プログラムコードを備える、コンピュータプログラム製品。
【請求項４２】
第１の無線アクセス技術（ＲＡＴ）と第２のＲＡＴとの間の周波数重複キャリアのサポートを提供するためのコンピュータプログラムであって、前記コンピュータプログラムが、プロセッサによって実行されたとき、請求項１から９のいずれか一項に記載の方法を実施する、コンピュータプログラム。
【請求項４３】
第１の無線アクセス技術（ＲＡＴ）と第２のＲＡＴとの間の周波数重複キャリアのサポートを提供するためのコンピュータプログラムであって、前記コンピュータプログラムが、プロセッサによって実行されたとき、請求項１８から２８のいずれか一項に記載の方法を実施する、コンピュータプログラム。
【発明の詳細な説明】
【技術分野】
【０００１】
本開示は、無線通信に関し、詳細には、第１の無線アクセス技術（ＲＡＴ）と第２のＲＡＴとの間の周波数重複キャリアのサポートに関する。
【背景技術】
【０００２】
ロングタームエボリューション（Ｌｏｎｇ−ｔｅｒｍ  Ｅｖｏｌｕｔｉｏｎ：ＬＴＥ）マシン型通信（ＭＴＣ）デバイスとＮＢ−ＩｏＴ（狭帯域モノのインターネット）デバイスとは何年もの間ネットワーク中に残ることが予想されるので、ＬＴＥ  ＲＡＴタイプとの、ならびにＮＢ−ＩｏＴとの効率的な同一周波数帯域共存の可能性が、新しい無線（Ｎｅｗ  Ｒａｄｉｏ：ＮＲ）のＲＡＴ発展におけるファクタである。ＮＲとＬＴＥとＮＢ−ＩｏＴとの間の効率的な共存が、ＮＲに向かうフレキシブルなネットワークおよびスペクトル移行の可能性をもたらす。
【０００３】
同じスペクトル内でのＮＲとのＬＴＥ／ＮＢ−ＩｏＴ共存は、ＬＴＥ／ＮＢ−ＩｏＴとＮＲとが、周波数重複キャリア（「共キャリア共存（ｃｏ−ｃａｒｒｉｅｒ  ｃｏ−ｅｘｉｓｔｅｎｃｅ）」）ならびに周波数隣接非重複キャリア（「隣接キャリア共存（ａｄｊａｃｅｎｔ−ｃａｒｒｉｅｒ  ｃｏ−ｅｘｉｓｔｅｎｃｅ）」）を用いて展開されて、実現され得る。ＮＲとＬＴＥ／ＮＢ−ＩｏＴとの間の良好な共存を保証するのを助けるための１つの様式は、ＮＲダウンリンク送信が、非動的にスケジュールされたＬＴＥ／ＮＢ−ＩｏＴダウンリンク送信によって使用されるリソースを回避する可能性である。そのような非動的送信は、以下のうちの１つまたは複数を含む。
・  同期信号：１次同期信号／２次同期信号（ＰＳＳ／ＳＳＳ）、狭帯域ＰＳＳ（ＮＰＳＳ）／狭帯域ＳＳＳ（ＮＳＳＳ）、
・  マスタ情報ブロック（すなわち、ＭＩＢ、ＭＩＢ−狭帯域（ＮＢ））を搬送するチャネル：物理ブロードキャストチャネル（ＰＢＣＨ）、狭帯域ＰＢＣＨ（ＮＰＢＣＨ）、
・  システム情報ブロック１（すなわち、ＳＩＢ１、ＳＩＢ１−（ブロードバンド）ＢＲ、ＳＩＢ１−（狭帯域）ＮＢ）を搬送するチャネル：物理ダウンリンク共有チャネル（ＰＤＳＣＨ）、狭帯域ＰＤＳＣＨ（ＮＰＤＳＣＨ）、
・  ダウンリンク制御情報を搬送するチャネル：物理ダウンリンク制御チャネル（ＰＤＣＣＨ）、物理制御フォーマットインジケータチャネル（ＰＣＦＩＣＨ）、物理ハイブリッド自動再送要求インジケータチャネル（ＰＨＩＣＨ）、および
・  参照信号：セル固有参照信号（ＣＲＳ）、チャネル状態情報参照信号（ＣＳＩ−ＲＳ）、狭帯域参照信号（ＮＲＳ）、測位参照信号（ＰＲＳ）。
【０００４】
いくつかの関連する規格委員会は、ＮＲが、一般的な前方互換性を可能にするのを助けるツールとして、予約済みリソース（ｒｅｓｅｒｖｅｄ  ｒｅｓｏｕｒｃｅ）をサポートし得ることを決めた。たとえば、「ＮＲ／ＬＴＥ共存―ダウンリンク」、３ＧＰＰ  ＴＳＧ  ＲＡＮ  ＷＧ１＃８８、Ｔｄｏｃ  Ｒ１−１７０３０２６参照。
【０００５】
予約済みリソースは、ＮＲ目的のために、送信されないかまたは未使用であるように設定されたＮＲリソースエレメントのセットであり得、したがって、後方互換性を壊すことなしに、後のリリースにおいて導入される送信のために使用することが可能である。
【０００６】
たいていのＮＲリソースは、原則として、予約済みリソースとして設定され得る。例外は、予約済みリソースが設定され得る前に無線デバイスが受信する信号のために使用されるリソースであり得る。これは、同期信号のためにおよびいくつかのシステム情報を送信するために使用されるリソースを除いて、すべてのリソースが、潜在的な予約済みリソースであり得ることを意味する。
【発明の概要】
【０００７】
いくつかの実施形態は、ＬＴＥ／ＮＢ−ＩｏＴとのＮＲ共キャリア共存をサポートするためのＮＲ予約済みリソースを設定する際の効率を改善するための方法およびシステムを有利に提供する。効率は、以下の２つのやり方で改善される。
・  より効率的なシグナリング。その結果、そのようなシグナリングによって導入されるオーバーヘッドが低減される、および
・  ＮＲとＬＴＥ／ＮＢ−ＩｏＴとの間のリソース共有においてより効率的。予約済みリソースは、時間次元と周波数次元の両方においてより細かい分解能を用いて識別され得る。たとえば、固有リソースエレメントが、ＯＦＤＭシンボル、スロット、リソースブロック、またはサブフレーム内に予約され得る。これは、ＯＦＤＭシンボル、スロット、リソースブロックまたはサブフレーム全体を予約することよりも効率的である。
【０００８】
本開示の一態様によれば、第１の無線アクセス技術（ＲＡＴ）と第２のＲＡＴとの間の周波数重複キャリアのサポートを提供するための、ネットワークノードによって実施される方法が提供される。第１のＲＡＴ無線デバイスにシグナリングするための第２のＲＡＴ情報が決定され、第２のＲＡＴ情報は、第１のＲＡＴ無線デバイスが、リソースエレメントレベルにおいて、第２のＲＡＴ送信のために予約されたリソースを決定することを可能にするように設定される。第２のＲＡＴ情報が第１のＲＡＴ無線デバイスに通信されることを引き起こされる。
【０００９】
この態様の一実施形態によれば、第２のＲＡＴ送信のために予約されたリソースが、第１のシンボルの第１の複数のリソースエレメントを含む。第２のＲＡＴ情報は、第１のＲＡＴ無線デバイスが、第１のシンボルの第１の複数のリソースエレメント上での第２のＲＡＴ送信を、第１のシンボルの第２の複数のリソースエレメント上での第１のＲＡＴ送信と区別することを可能にするように設定され、第１の複数のリソースエレメントは、第２の複数のリソースエレメントとは異なる。この態様の一実施形態によれば、第２のＲＡＴ送信のための予約済みリソースは、同期信号送信、マスタ情報ブロック（ＭＩＢ）送信、システム情報ブロック（ＳＩＢ）送信、システム情報（ＳＩ）メッセージ送信、ダウンリンク制御情報送信、および参照信号送信のうちの少なくとも１つのために予約されたリソースに対応する。
【００１０】
この態様の一実施形態によれば、参照信号送信は、セル固有参照信号の送信を含む。この態様の一実施形態によれば、第２のＲＡＴ情報は、第２のＲＡＴ送信のために使用される少なくとも１つの物理リソースブロック（ＰＲＢ）インデックス、第１のＲＡＴセルと第２のＲＡＴセルとの間のタイミング関係、物理セル識別情報および少なくとも１つの参照信号ポートの少なくとも１つの番号、ならびに第２のＲＡＴダウンリンク制御領域の指示のうちの少なくとも１つを含む。この態様の一実施形態によれば、第２のＲＡＴ情報は、システム情報ブロック（ＳＩＢ）スケジューリング情報、第２のＲＡＴのための物理ダウンリンク共有チャネルビットマップパターン、スケジューリング情報を含むシステム情報（ＳＩ）メッセージ、およびマルチブロードキャスト単一周波数ネットワーク（ＭＢＳＦＮ）設定情報のうちの少なくとも１つを含む。この態様の一実施形態によれば、第２のＲＡＴ情報は、第１のＲＡＴセルと第２のＲＡＴセルとの間の周波数関係を含む。
【００１１】
この態様の一実施形態によれば、第２のＲＡＴ情報は、第２のＲＡＴセルが、サイクリックプレフィックス（ＣＰ）および拡張ＣＰのうちの１つを使用するかどうかの指示を含む。この態様の一実施形態によれば、第１のＲＡＴは新しい無線（ＮＲ）であり、第２のＲＡＴはロングタームエボリューション（ＬＴＥ）である。
【００１２】
本開示の別の態様によれば、第１の無線アクセス技術（ＲＡＴ）と第２のＲＡＴとの間の周波数重複キャリアのサポートを提供するためのネットワークノードが提供される。ネットワークノードは、第１のＲＡＴ無線デバイスにシグナリングするための第２のＲＡＴ情報を決定することであって、第２のＲＡＴ情報は、第１のＲＡＴ無線デバイスが、リソースエレメントレベルにおいて、第２のＲＡＴ送信のために予約されたリソースを決定することを可能にするように設定された、第２のＲＡＴ情報を決定することを行うように設定された処理回路を含む。
【００１３】
この態様の一実施形態によれば、第２のＲＡＴ送信のために予約されたリソースが、第１のシンボルの第１の複数のリソースエレメントを含む。第２のＲＡＴ情報は、第１のＲＡＴ無線デバイスが、第１のシンボルの第１の複数のリソースエレメント上での第２のＲＡＴ送信を、第１のシンボルの第２の複数のリソースエレメント上での第１のＲＡＴ送信と区別することを可能にするように設定され、第１の複数のリソースエレメントは、第２の複数のリソースエレメントとは異なる。この態様の一実施形態によれば、第２のＲＡＴ送信のための予約済みリソースは、同期信号送信、マスタ情報ブロック（ＭＩＢ）送信、システム情報ブロック（ＳＩＢ）送信、システム情報（ＳＩ）メッセージ送信、ダウンリンク制御情報送信、および参照信号送信のうちの少なくとも１つのために予約されたリソースに対応する。
【００１４】
この態様の一実施形態によれば、参照信号送信は、セル固有参照信号の送信を含む。この態様の一実施形態によれば、第２のＲＡＴ情報は、第２のＲＡＴ送信のために使用される少なくとも１つの物理リソースブロック（ＰＲＢ）インデックス、第１のＲＡＴセルと第２のＲＡＴセルとの間のタイミング関係、物理セル識別情報および少なくとも１つの参照信号ポートの少なくとも１つの番号、ならびに第２のＲＡＴダウンリンク制御領域の指示のうちの少なくとも１つを含む。この態様の一実施形態によれば、第２のＲＡＴ情報は、システム情報ブロック（ＳＩＢ）スケジューリング情報、第２のＲＡＴのための物理ダウンリンク共有チャネルビットマップパターン、スケジューリング情報を含むシステム情報（ＳＩ）メッセージ、およびマルチブロードキャスト単一周波数ネットワーク（ＭＢＳＦＮ）設定情報のうちの少なくとも１つを含む。
【００１５】
この態様の一実施形態によれば、第２のＲＡＴ情報は、第１のＲＡＴセルと第２のＲＡＴセルとの間の周波数関係を含む。この態様の一実施形態によれば、第２のＲＡＴ情報は、第２のＲＡＴセルが、サイクルプレフィックス（ＣＰ）および拡張ＣＰのうちの１つを使用するかどうかの指示を含む。本開示の別の態様によれば、第１の無線アクセス技術（ＲＡＴ）と第２のＲＡＴとの間の周波数重複キャリアをサポートするための、無線デバイスによって実施される方法が提供される。第２のＲＡＴ情報が受信される。リソースエレメントレベルにおいて、第２のＲＡＴ情報に基づいて、第２のＲＡＴ送信のために予約されたリソースが決定される。第１のＲＡＴリソースと第２のＲＡＴリソースとを含む送信が受信される。第２のＲＡＴ情報に少なくとも部分的に基づいて、少なくとも第１のＲＡＴリソースが処理される。
【００１６】
この態様の一実施形態によれば、第２のＲＡＴ情報に少なくとも部分的に基づいて、第２のＲＡＴリソースが処理される。この態様の一実施形態によれば、第２のＲＡＴリソースは、第１のシンボルの第１の複数のリソースエレメントを含む。この態様の一実施形態によれば、リソースエレメントレベルにおいて、第１のシンボルの第１の複数のリソースエレメント上での第２のＲＡＴ送信のための予約済みリソースが、第１のシンボルの第２の複数のリソースエレメント上での第１のＲＡＴ送信のためのリソースと区別され、第１の複数のリソースエレメントは、第２の複数のリソースエレメントとは異なる。
【００１７】
この態様の一実施形態によれば、第２のＲＡＴ送信のための予約済みリソースは、同期信号送信、マスタ情報ブロック（ＭＩＢ）送信、システム情報ブロック（ＳＩＢ）送信、システム情報（ＳＩ）メッセージ送信、ダウンリンク制御情報送信、および参照信号送信のうちの少なくとも１つのために予約されたリソースに対応する。この態様の一実施形態によれば、参照信号送信は、セル固有参照信号の送信を含む。
【００１８】
この態様の一実施形態によれば、第２のＲＡＴ情報は、第２のＲＡＴ送信のために使用される少なくとも１つの物理リソースブロック（ＰＲＢ）インデックス、第１のＲＡＴセルと第２のＲＡＴセルとの間のタイミング関係、物理セル識別情報および少なくとも１つの参照信号ポートの少なくとも１つの番号、ならびに第２のＲＡＴダウンリンク制御領域の指示のうちの少なくとも１つを含む。この態様の一実施形態によれば、第２のＲＡＴ情報は、システム情報ブロック（ＳＩＢ）スケジューリング情報、第２のＲＡＴのための物理ダウンリンク共有チャネルビットマップパターン、スケジューリング情報を含むシステム情報（ＳＩ）メッセージ、およびマルチブロードキャスト単一周波数ネットワーク（ＭＢＳＦＮ）設定情報のうちの少なくとも１つを含む。この態様の一実施形態によれば、第２のＲＡＴ情報は、第１のＲＡＴセルと第２のＲＡＴセルとの間の周波数関係を含む。
【００１９】
この態様の一実施形態によれば、第２のＲＡＴ情報は、第２のＲＡＴセルが、サイクルプレフィックス（ＣＰ）および拡張ＣＰのうちの１つを使用するかどうかの指示を含む。この態様の一実施形態によれば、第１のＲＡＴは新しい無線（ＮＲ）であり、第２のＲＡＴはロングタームエボリューション（ＬＴＥ）である。
【００２０】
本開示の別の態様によれば、第１の無線アクセス技術（ＲＡＴ）と第２のＲＡＴとの間の周波数重複キャリアをサポートするための無線デバイスが提供される。無線デバイスは、第２のＲＡＴ情報を受信することと、リソースエレメントレベルにおいて、第２のＲＡＴ情報に基づいて、第２のＲＡＴ送信のために予約されたリソースを決定することと、第１のＲＡＴリソースと第２のＲＡＴリソースとを含む送信を受信することと、第２のＲＡＴ情報に少なくとも部分的に基づいて、少なくとも第１のＲＡＴリソースを処理することとを行うように設定された処理回路を含む。
【００２１】
この態様の一実施形態によれば、処理回路は、受信された第２のＲＡＴ情報に少なくとも部分的に基づいて、第２のＲＡＴリソースを処理するようにさらに設定される。この態様の一実施形態によれば、第２のＲＡＴ送信のための予約済みリソースが、第１のシンボルの第１の複数のリソースエレメントを含む。この態様の一実施形態によれば、処理回路は、リソースエレメントレベルにおいて、第１のシンボルの第１の複数のリソースエレメント上での第２のＲＡＴ送信のための予約済みリソースを、第１のシンボルの第２の複数のリソースエレメント上での第１のＲＡＴ送信のためのリソースと区別するようにさらに設定され、第１の複数のリソースエレメントは、第２の複数のリソースエレメントとは異なる。
【００２２】
この態様の一実施形態によれば、第２のＲＡＴ送信のための予約済みリソースは、同期信号送信、マスタ情報ブロック（ＭＩＢ）送信、システム情報ブロック（ＳＩＢ）送信、システム情報（ＳＩ）メッセージ送信、ダウンリンク制御情報送信、および参照信号送信のうちの少なくとも１つのために予約されたリソースに対応する。この態様の一実施形態によれば、参照信号送信は、セル固有参照信号の送信を含む。この態様の一実施形態によれば、第２のＲＡＴ情報は、第２のＲＡＴ送信のために使用される少なくとも１つの物理リソースブロック（ＰＲＢ）インデックス、第１のＲＡＴセルと第２のＲＡＴセルとの間のタイミング関係、物理セル識別情報および少なくとも１つの参照信号ポートの少なくとも１つの番号、ならびに第２のＲＡＴダウンリンク制御領域の指示のうちの少なくとも１つを含む。
【００２３】
この態様の一実施形態によれば、第２のＲＡＴ情報は、システム情報ブロック（ＳＩＢ）スケジューリング情報、第２のＲＡＴのための物理ダウンリンク共有チャネルビットマップパターン、スケジューリング情報を含むシステム情報（ＳＩ）メッセージ、およびマルチブロードキャスト単一周波数ネットワーク（ＭＢＳＦＮ）設定情報のうちの少なくとも１つを含む。この態様の一実施形態によれば、第２のＲＡＴ情報は、第１のＲＡＴセルと第２のＲＡＴセルとの間の周波数関係を含む。この態様の一実施形態によれば、第２のＲＡＴ情報は、第２のＲＡＴセルが、サイクルプレフィックス（ＣＰ）および拡張ＣＰのうちの１つを使用するかどうかの指示を含む。この態様の一実施形態によれば、第１のＲＡＴは新しい無線（ＮＲ）であり、第２のＲＡＴはロングタームエボリューション（ＬＴＥ）である。
【００２４】
本開示の別の態様によれば、第１の無線アクセス技術（ＲＡＴ）無線デバイスが第１のＲＡＴと第２のＲＡＴとの間の周波数重複キャリアをサポートすることを可能にするための情報を第１のＲＡＴ無線デバイスにシグナリングするためのネットワークノードが提供される。ネットワークノードは、第１のＲＡＴ無線デバイスにシグナリングするための第２のＲＡＴ情報を決定することであって、第２のＲＡＴ情報は、第１のＲＡＴ無線デバイスが、リソースエレメントレベルにおいて、第２のＲＡＴ送信のために予約されたリソースを決定することを可能にするように設定された、第２のＲＡＴ情報を決定することと、第２のＲＡＴ情報が第１のＲＡＴ無線デバイスに通信されることを引き起こすこととを行うように設定されたＲＡＴ情報決定モジュールを含む。
【００２５】
本開示の別の態様によれば、第１の無線アクセス技術（ＲＡＴ）と第２のＲＡＴとの間の周波数重複キャリアをサポートするための無線デバイスが提供される。無線デバイスは、第２のＲＡＴ情報を受信することと、第１のＲＡＴリソースと第２のＲＡＴリソースとを含む送信を受信することとを行うように設定されたトランシーバモジュールを含む。無線デバイスは、リソースエレメントレベルにおいて、第２のＲＡＴ情報に基づいて、第２のＲＡＴ送信のために予約されたリソースを決定することと、第２のＲＡＴ情報に少なくとも部分的に基づいて、少なくとも第１のＲＡＴリソースを処理することとを行うように設定されたＲＡＴ情報処理モジュールを含む。
【００２６】
本開示の別の態様によれば、第１の無線アクセス技術（ＲＡＴ）と第２のＲＡＴとの間の周波数重複キャリアのサポートを提供するためのコンピュータプログラム製品が提供される。コンピュータプログラム製品は、プロセッサによって実行されたとき、コンピュータプログラム製品に、本明細書で説明されるネットワークノードの１つまたは複数の機能を実施させる、コンピュータ可読プログラムコードを備える。
【００２７】
本開示の別の態様によれば、第１の無線アクセス技術（ＲＡＴ）と第２のＲＡＴとの間の周波数重複キャリアのサポートを提供するためのコンピュータプログラム製品が提供される。コンピュータプログラム製品は、プロセッサによって実行されたとき、コンピュータプログラム製品に、本明細書で説明される無線デバイスの１つまたは複数の機能を実施させる、コンピュータ可読プログラムコードを備える。
【００２８】
本開示の別の態様によれば、第１の無線アクセス技術（ＲＡＴ）と第２のＲＡＴとの間の周波数重複キャリアのサポートを提供するためのコンピュータプログラムが提供される。コンピュータプログラムは、プロセッサによって実行されたとき、本明細書で説明されるネットワークノードの１つまたは複数の機能を実施する。
【００２９】
本開示の別の態様によれば、第１の無線アクセス技術（ＲＡＴ）と第２のＲＡＴとの間の周波数重複キャリアのサポートを提供するためのコンピュータプログラムが提供される。コンピュータプログラムは、プロセッサによって実行されたとき、本明細書で説明される無線デバイスの１つまたは複数の機能を実施する。
【００３０】
添付の図面とともに考慮されるとき、以下の詳細な説明を参照することによって、本実施形態のより完全な理解、およびそれらの付随する利点および特徴がより容易に理解されよう。
【図面の簡単な説明】
【００３１】
【図１】本明細書の原理に従って構築された無線通信システムのブロック図である。
【図２】本明細書に記載される原理に従って設定されたネットワークノードのブロック図である。
【図３】ネットワークノードの代替実施形態のブロック図である。
【図４】本明細書に記載される原理に従って構築されたＮＲ無線デバイスのブロック図である。
【図５】ＮＲ無線デバイスの代替実施形態のブロック図である。
【図６】ＮＲ無線デバイスへのＬＴＥ／ＮＢ−ＩｏＴ情報を決定およびシグナリングするための例示的なプロセスのフローチャートである。
【図７】ｌｏｎｇ  ｔｅｒｍ  ｅｖｏｌｕｔｉｏｎ（ＬＴＥ）および狭帯域モノのインターネット（ＮＢ−ＩＯＴ）無線通信に関係する情報を有する、ネットワークノードからの信号を処理するためのＮＲ無線デバイスにおける例示的なプロセスのフローチャートである。
【図８】周波数次元においてＮＢ−ＩｏＴ  ＰＲＢリソースの位置を特定することを示す図である。
【図９】周波数次元においてＬＴＥ  ＰＲＢリソースの位置を特定することを示す図である。
【図１０】ＮＲ無線サブフレーム番号に関してＬＴＥ／ＮＢ−ＩｏＴ無線フレームの位置を特定することを示す図である。
【図１１】ＮＲ無線デバイスによってＮＢ−ＩｏＴ同期信号の位置を特定することを示す図である。
【図１２】ＮＢ−ＩｏＴセルのＬＴＥ制御領域における同期信号を示す図である。
【発明を実施するための形態】
【００３２】
ＬＴＥ／ＮＢ−ＩｏＴ  ＲＡＴとのＮＲ無線アクセス技術（ＲＡＴ）共キャリア共存をサポートするために予約済みリソースの概念が使用され得、ＬＴＥ／ＮＢ−ＩｏＴ送信と重複するＮＲリソースが、予約済みリソースとして設定され得、したがって、ＮＲ無線デバイスを「混乱」させることなしに、そのようなリソースのブランキング（ＮＲ送信のためにこれらのリソースを回避すること）を可能にする。これらのリソースエレメント（ＲＥ）のうちのどれがＬＴＥおよびＮＢ−ＩｏＴ送信によって取られるかを知らずに、ＮＲ無線デバイスが、その所望の送信のための復号プロセスにおいて、これらのＲＥからの受信された信号を復号したが、ＮＲ無線デバイスの観点から、所望の送信（たとえば、ＮＲ送信）が、これらのＲＥにおいて消失している場合、ＮＲ無線デバイスは「混乱」させられ得る。１つの手法は、ＮＲ無線デバイスが、予約済みリソースとして設定されたリソースエレメントを、パンクチャされたもの、または代替的にレートマッチングされたものとして扱うことであり、パンクチャされたリソースは、時間周波数リソースグリッド中のリソースエレメントのより広い範囲の間に点在する予約済みリソースを指し得る。原則として、ＮＲリソースのそのようなブランキングは、ＯＦＤＭごとのシンボルレベルにおいて予約され得る一般的な予約済みリソースを利用することによって達成され得る。しかしながら、これらの一般的な予約済みリソースは、限定されたフレキシビリティを有し、最も効率的な手法ではないことがある。一例として、一般的な予約済みリソースがＯＦＤＭシンボルごとに設定されたとき、ＮＲ無線デバイスがＬＴＥ  ＣＲＳを回避することは、ＮＲ  ＯＦＤＭシンボル内のリソースエレメントのサブセットのみがＬＴＥ  ＣＲＳと一致し得るにもかかわらず、ＮＲ  ＯＦＤＭシンボル全体が予約済みリソースとして扱われることを生じることになる。このため、ＬＴＥ  ＣＲＳと一致しないシンボルのリソースエレメントのサブセットは、未使用のままであり得、これは、システムの効率を制限する。
【００３３】
実際には、シグナリングの理由で、前方互換性をターゲットにする予約済みリソースが、単純で一般的な構造を有し得る。単純で一般的な構造の一例は、単一の直交周波数分割多重（ＯＦＤＭ）シンボルおよび／あるいは設定された予約済みリソースのための基本ユニットまたはビルディングブロックとしての一定のサイズの連続時間／周波数ブロックを含み得る。
【００３４】
本開示は、既存のシステムおよび方法に関する問題のうちの少なくともいくつかを解決する。１つまたは複数の実施形態では、１つまたは複数のＬＴＥ／ＮＢ−ＩｏＴ  ＲＡＴ信号にマッチする特定の時間／周波数構造をもつ予約済みリソースを設定することによって、より高い効率が達成され得る。これらの特定の時間／周波数の構造またはパターンは、特定の時間／周波数構造と一致しないシンボル内のリソースエレメントの使用を可能にするためになど、シンボルのリソースエレメントレベルにおいて規定され得る。本明細書で説明される１つまたは複数の実施形態では、無線デバイスが、リソースエレメントレベルにおいて、ＬＴＥ／ＮＢ−ＩｏＴ信号と一致するリソースエレメントを識別することを可能にするためになど、ＬＴＥ／ＮＢ−ＩｏＴ  ＲＡＴ情報を、ネットワークノードから、新しい無線（ＮＲ）ＲＡＴプロトコルに従ってその情報を処理するように設定された無線デバイスに送信することを対象とする。１つまたは複数の実施形態では、ＬＴＥおよびＮＢ−ＩｏＴとの互換性を促進するために、ＬＴＥおよびＮＢ−ＩｏＴ通信に関係する情報が、ＮＲ無線デバイスに送られ、ＬＴＥ／ＮＢ−ＩｏＴダウンリンク送信の受信を可能にするために、その無線デバイスによって使用される。本明細書で説明される１つまたは複数の実施形態は、周波数重複キャリア（「共キャリア共存」）を用いたＬＴＥ／ＮＢ−ＩｏＴおよびＮＲの展開を対象とする。
【００３５】
例示的な実施形態について詳細に説明する前に、実施形態は、主に、ｌｏｎｇ  ｔｅｒｍ  ｅｖｏｌｕｔｉｏｎ（ＬＴＥ）および狭帯域モノのインターネット（ＮＢ−ＩＯＴ）の共存のための予約済みリソースのシグナリングに関係する、装置構成要素と処理ステップとの組合せ中に存在することを留意されたい。それに応じて、本明細書の説明の利益を有する当業者に容易に明らかになるであろう詳細で本開示を不明瞭にしないように、適切な場合、図面において構成要素が従来のシンボルによって表され、実施形態を理解することに関係するそれらの具体的な詳細のみを示す。
【００３６】
本明細書で使用される、「第１」および「第２」、「上部」および「下部」などの関係語は、単に、あるエンティティまたはエレメントを別のエンティティまたはエレメントと区別するために、必ずしも、そのようなエンティティまたはエレメント間の何らかの物理的または論理的関係または順序を必要とすることまたは暗示することなしに、使用され得る。
【００３７】
本明細書で説明される１つまたは複数の実施形態では、ネットワークノードから、新しい無線（ＮＲ）プロトコルに従ってＬＴＥ／ＮＢ−ＩｏＴ情報を処理するように設定された無線デバイスに情報を送ることが開示される。ＬＴＥ／ＮＢ−ＩｏＴ送信は、ＮＲ送信と共存しており、無線デバイスがＮＲ送信を受信するために、無線デバイスは、ＮＲ送信の受信の処理を支援するためのＬＴＥ／ＮＢ−ＩｏＴ情報を受信する。ＮＲは、第３世代パートナーシッププロジェクト（３ＧＰＰ）５Ｇと呼ばれることもある。ＬＴＥおよびＮＢ−ＩｏＴとのＮＲの互換性を促進するために、ＬＴＥおよびＮＢ−ＩｏＴ通信に関係する情報が、ＮＲ無線デバイスに送られ、また、ＬＴＥ／ＮＢ−ＩｏＴダウンリンク送信の受信／処理を可能にするために、その無線デバイスによって使用され得る。
【００３８】
次に、図面を参照すると、同様の要素が同様の参照番号によって参照されており、図１では、本明細書の原理に従って構築された無線通信システム１０のブロック図が示されている。無線通信ネットワーク１０は、インターネットおよび／または公衆交換電話網（ＰＳＴＮ）を含み得る、クラウド１２を含む。クラウド１２は、無線通信システム／ネットワーク１０のバックホールネットワークとしてもサーブし得る。無線通信ネットワーク１０は、ネットワークノード１４Ａおよび１４Ｂなど、１つまたは複数のネットワークノード１４を含み、１つまたは複数のネットワークノード１４は、まとめてネットワークノード１４と呼ばれる。新しい無線機（ＮＲ）など、通信プロトコルについてのネットワークノード１４間の通信のためにインターフェースタイプが使用され得ることが企図される。ネットワークノード１４は、無線デバイス１６Ａおよび１６Ｂなど、新しい無線（ＮＲ）無線デバイス１６をサーブし得、１つまたは複数の無線デバイスは、本明細書ではまとめてＮＲ無線デバイス１６と呼ばれる。便宜上、２つのＮＲ無線デバイス１６および２つのネットワークノード１４のみが示されているが、無線通信ネットワーク１０は、一般に、より多くのＮＲ無線デバイス（ＷＤ）１６とネットワークノード１４とを含み得ることに留意されたい。
【００３９】
本明細書で使用される「無線デバイス」またはモバイル端末という用語は、セルラーまたは移動体通信システム１０におけるネットワークノード１４および／または別の無線デバイス１６と通信する任意のタイプの新しい無線（ＮＲ）無線デバイスを指し得る。ＮＲ無線デバイス１６の例は、ユーザ機器（ＵＥ）、ターゲットデバイス、デバイスツーデバイス（Ｄ２Ｄ）無線デバイス、マシン型無線デバイスまたはマシンツーマシン（Ｍ２Ｍ）通信が可能な無線デバイス、ＰＤＡ、タブレット、スマートフォン、ラップトップ組込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングルなどである。ＮＲ無線デバイス１６は、ＮＲおよびＬＴＥ／ＮＢ−ＩｏＴなど、１つまたは複数のＲＡＴに従って動作するように設定され得る。
【００４０】
本明細書で使用される「ネットワークノード」という用語は、任意の基地トランシーバ局（ＢＴＳ）、基地局コントローラ（ＢＳＣ）、無線ネットワークコントローラ（ＲＮＣ）、エボルブドノードＢ（ｅＮＢまたはｅノードＢ）、ＮＲ  ｇＮＢ、ノードＢ、マルチスタンダード無線（ＭＳＲ）ＢＳなどのＭＳＲ無線ノード、リレーノード、ドナーノード制御リレー、無線アクセスポイント（ＡＰ）、送信ポイント、送信ノード、リモートラジオユニット（ＲＲＵ）リモート無線ヘッド（ＲＲＨ）、分散アンテナシステム（ＤＡＳ）におけるノードなどをさらに備え得る、無線ネットワークにおける任意の種類の無線基地局を指し得る。たとえば、一実施形態では、ネットワークノード１４Ａは、ＬＴＥ／ＮＢ−ＩｏＴなど、第２のＲＡＴに基づいて動作するｅノードＢであり、ネットワークノード１４Ｂは、ＮＲなど、第１のＲＡＴに基づいて動作するｇＮＢである。
【００４１】
ネットワークノード１４によって実施されているいくつかの機能に関して実施形態が本明細書で説明されるが、機能は、他のネットワークノードおよびエレメントにおいて実施され得ることを理解されたい。ネットワークノード１４の機能は、他のノードが、本明細書で説明される１つまたは複数の機能、さらには機能の一部を実施することができるように、ネットワーククラウド１２にわたって分散され得ることも理解されたい。たとえば、ネットワークノード１４Ａ、たとえば、ｅノードＢは、本明細書で説明されるシグナリングプロセスの１つまたは複数の機能を実施するように設定され得、ネットワークノード１４Ａと通信している、ネットワークノード１４Ｂ、たとえば、ｇＮＢは、本明細書で説明されるシグナリングプロセスの１つまたは複数の他の機能を実施するように設定される。１つまたは複数の実施形態では、ネットワークノード１４Ａは、本明細書で説明されるように、第１のＲＡＴ無線デバイス１６にシグナリングするための第２のＲＡＴ情報を決定することと、第２のＲＡＴ情報をネットワークノード１４Ｂに送信したことによって、第２のＲＡＴ情報が第１のＲＡＴ無線デバイス１６に通信されることを引き起こすこととを行うように設定され、ネットワークノード１４Ｂは、第２のＲＡＴ情報を無線デバイス１６に送信する。
【００４２】
図１に戻ると、ネットワークノード１４は、ＮＲ無線デバイス１６が、ＬＴＥ／ＮＢ−ＩｏＴダウンリンク送信のために使用される予約されたリソースを決定することを可能にするために、ＮＲ無線デバイス１６にシグナリングするための、ＬＴＥ／ＮＢ−ＩｏＴ情報など、第２のＲＡＴ情報を決定するように設定されたＲＡＴ情報決定ユニット１８を有する。ＮＲ無線デバイス１６は、信号中に含まれているＬＴＥ／ＮＢ−ＩｏＴ情報を処理するように設定されたＲＡＴ情報処理ユニット２０を有し、ＮＲ無線デバイス１６を、スケジュールされたＬＴＥおよびＮＢ−ＩｏＴダウンリンク送信を受信するように設定し得る。１つまたは複数の実施形態では、ＬＴＥ／ＮＢ−ＩｏＴは第２のＲＡＴと呼ばれ、ＮＲは第１のＲＡＴと呼ばれる。
【００４３】
図２は、本明細書に記載される原理に従って設定されたネットワークノード１４のブロック図である。ネットワークノード１４は処理回路２２を含む。いくつかの実施形態では、処理回路２２は、メモリ２４とプロセッサ２６とを含み得、メモリ２４は、プロセッサ２６によって実行されたとき、プロセッサ２６を、本明細書で説明される１つまたは複数の機能を実施するように設定する、命令を含んでいる。旧来のプロセッサおよびメモリに加えて、処理回路２２は、処理および／または制御のための集積回路要素、たとえば、１つまたは複数のプロセッサおよび／またはプロセッサコアおよび／またはＦＰＧＡ（フィールドプログラマブルゲートアレイ）および／またはＡＳＩＣ（特定用途向け集積回路）を備え得る。
【００４４】
処理回路２２は、メモリ２４を含み、および／またはメモリ２４に接続され、および／またはメモリ２４にアクセスする（たとえば、メモリ２４に書き込むおよび／またはメモリ２４から読み取る）ために設定され得、メモリ２４は、任意の種類の揮発性および／または不揮発性メモリ、たとえば、キャッシュおよび／またはバッファメモリおよび／またはＲＡＭ（ランダムアクセスメモリ）および／またはＲＯＭ（読取り専用メモリ）および／または光メモリおよび／またはＥＰＲＯＭ（消去可能プログラマブル読取り専用メモリ）を含み得る。そのようなメモリ２４は、制御回路要素によって実行可能なコードおよび／または他のデータ、たとえば、通信に関係するデータ、たとえば、ノードの設定および／またはアドレスデータなどを記憶するように設定され得る。たとえば、コードは、プロセッサ２６および／または処理回路２２によって実行可能である、コンピュータ可読プログラムコードおよび／またはコンピュータプログラムであり得る。処理回路２２は、本明細書で説明される方法のいずれかを制御すること、および／またはそのような方法が、たとえば、プロセッサ２６によって実施されることを引き起こすことを行うように設定され得る。対応する命令がメモリ２４に記憶され得、メモリ２４は、処理回路２２にとって読取り可能であり、および／または処理回路２２に読取り可能に接続され得る。言い換えれば、処理回路２２はコントローラを含み得、コントローラは、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを備え得る。処理回路２２は、メモリを含むか、あるいはメモリに接続されるかまたはメモリに接続可能であり得、メモリは、コントローラおよび／または処理回路２２によって読み取り、および／または書き込みを行うためにアクセス可能であるように設定され得る。
【００４５】
メモリ２４は、ＲＡＴ情報決定ユニット１８によって決定されたＲＡＴ情報２８を記憶するように設定され、ＲＡＴ情報決定ユニット１８はプロセッサ２６によって実装される。上述のＲＡＴ情報決定ユニット１８は、ＮＲ無線デバイスが、ＬＴＥおよびＮＢ−ＩｏＴダウンリンク送信のために使用される予約されたリソースを決定することを可能にするために、ＮＲ無線デバイスにシグナリングするための、ＬＴＥ／ＮＢ−ＩｏＴ情報など、ＲＡＴ情報を決定するように設定される。トランシーバ３４は、決定されたＲＡＴ情報をＮＲ無線デバイス１６にシグナリングするように設定される。いくつかの実施形態では、トランシーバ３４は、１つまたは複数の別個の送信機および受信機エレメントを含む。１つまたは複数の実施形態では、第１の無線アクセス技術（ＲＡＴ）と第２のＲＡＴとの間の周波数重複キャリアのサポートを提供するためのコンピュータプログラム製品が提供される。コンピュータプログラム製品は、プロセッサ２６によって実行されたとき、コンピュータプログラム製品に、本明細書で説明されるネットワークノード１４の１つまたは複数の機能を実施させる、コンピュータ可読プログラムコードを含み得る。１つまたは複数の実施形態では、第１の無線アクセス技術（ＲＡＴ）と第２のＲＡＴとの間の周波数重複キャリアのサポートを提供するためのコンピュータプログラムが提供される。コンピュータプログラムは、プロセッサ２６によって実行されたとき、本明細書で説明されるネットワークノード１４の１つまたは複数の機能を実施する。
【００４６】
図３は、ＲＡＴ情報決定モジュール１９によって生成されたＲＡＴ情報を記憶するように設定されたメモリモジュール２５を含む、ネットワークノード１４の代替実施形態のブロック図である。ＲＡＴ情報決定モジュール１９は、プロセッサによって実行されるソフトウェアとして実装され得る。１つまたは複数の実施形態では、ＲＡＴ情報決定モジュール１９は、本明細書で説明されるように、第１のＲＡＴ無線デバイス１６にシグナリングするための第２のＲＡＴ情報を決定することであって、第２のＲＡＴ情報は、第１のＲＡＴ無線デバイス１６が、リソースエレメントレベルにおいて、第２のＲＡＴ送信のために予約されたリソースを決定することを可能にするように設定された、第２のＲＡＴ情報を決定することと、第２のＲＡＴ情報が第１のＲＡＴ無線デバイス１６に通信されることを引き起こすこととを行うように設定される。トランシーバモジュール３５は、ＬＴＥ／ＮＢ−ＩｏＴ情報など、ＲＡＴ情報をＮＲ無線デバイス１６にシグナリングするように設定される。トランシーバモジュール３５は、プロセッサによって実行されるソフトウェアによって部分的に実装され得る。
【００４７】
いくつかの実施形態では、非動的にスケジュールされたＬＴＥ／ＮＢ−ＩｏＴダウンリンク送信に適応するＮＲ予約済みリソースの識別を可能にするために、ＬＴＥ／ＮＢ−ＩｏＴ情報が、トランシーバ３４を介してＮＲ無線デバイス１６にシグナリングされ得、１つまたは複数のネットワークノード１４が、ＮＲセルを確立することと、ＮＲプロトコルをサポートすることとを行うように設定され得、１つまたは複数のネットワークノードが、ＬＴＥ／ＮＢ−ＩｏＴセルを確立することと、ＬＴＥ／ＮＢ−ＩｏＴプロトコルをサポートすることとを行うように設定され得る。ＬＴＥ／ＮＢ−ＩｏＴ情報など、ＲＡＴ情報は、以下の項目のうちの１つまたは複数を含み得る。
１．  ＬＴＥおよび／またはＮＢ−ＩｏＴによって使用される物理リソースブロック（ＰＲＢ）インデックス、
２．  ＮＲセルとＬＴＥ／ＮＢ−ＩｏＴセルとの間のタイミング関係、
３．  物理セル識別情報（ＰＣＩＤ）（ＬＴＥおよび／またはＮＢ−ＩｏＴ）、およびＮＲ無線デバイス１６がそれに応じて予約済みＣＲＳおよびＮＲＳリソースを決定し得るようなＮＲＳまたはＣＲＳポートの番号、
４．  ＬＴＥダウンリンク制御領域、（これは、存在する場合、エボルブドＰＤＣＣＨ（ＥＰＤＣＣＨ）領域を含むことができる）、
５．  ＳＩＢ１、ＳＩＢ１−ＢＲおよび／またはＳＩＢ１−ＮＢスケジューリング情報、
６．  有効なサブフレームが、ＬＴＥ−Ｍ送信またはＮＢ−ＩｏＴ送信のために使用され得るサブフレームを指し得る、ＬＴＥ  （Ｎ）ＰＤＳＣＨ有効サブフレームビットマップパターン、
７．  ＳＩメッセージスケジューリング情報、
８．  ＮＲセルとＬＴＥ／ＮＢ−ＩｏＴセルとの間の周波数関係、
９．  ノーマルサイクリックプレフィックス（ＣＰ）または拡張ＣＰが実装されるかどうかを指示する情報など、ＬＴＥ  ＣＰ情報、ならびに／あるいは
１０．  マルチブロードキャスト単一周波数ネットワーク（ＭＢＳＦＮ）設定情報。
１つまたは複数の実施形態では、ＲＡＴ情報は、ＮＲセルによってシグナリングされる。
【００４８】
項目１〜１０のうちの１つまたは複数が、非動的にスケジュールされたＬＴＥ／ＮＢ−ＩｏＴダウンリンク送信に特に調整されたＮＲ予約済みリソースを設定するためにＮＲ無線デバイス１６によって使用され得る。たとえば、ＮＲ予約済みリソースは、非動的にスケジュールされたＬＴＥ／ＮＢ−ＩｏＴダウンリンク送信と一致するように特に設定され得、これらの予約済みリソース以外のリソースがＮＲダウンリンク送信のために使用され得る。１つまたは複数の実施形態では、ＮＲ予約済みリソースは、非動的にスケジュールされたＬＴＥ／ＮＢ−ＩｏＴダウンリンク送信と少なくとも部分的に一致する、第１のシンボル中のリソースエレメントの一部分を含み、それにより、第１のシンボルの他のリソースエレメントのうちの１つまたは複数が、ＮＲダウンリンク送信のために使用されることを可能にする、すなわち、リソースレベルまたはリソースエレメントレベルにおけるリソース予約を可能にする。非動的にスケジュールされたＬＴＥ／ＮＢ−ＩｏＴダウンリンク送信は、以下のうちの１つまたは複数を含む。
・  １つまたは複数の同期信号：ＰＳＳ／ＳＳＳ、ＮＰＳＳ／ＮＳＳＳ。
・  マスタ情報ブロック（すなわち、ＭＩＢ、ＭＩＢ−ＮＢ）を搬送するチャネル：ＰＢＣＨ、ＮＰＢＣＨ。
・  システム情報ブロック１（すなわち、ＳＩＢ１、ＳＩＢ１−ＢＲ、ＳＩＢ１−ＮＢ）を搬送するチャネル：ＰＤＳＣＨ、ＮＰＤＳＣＨ。
・  ＬＴＥマシン型通信（ＭＴＣ）またはＮＢ−ＩｏＴのためのシステム情報メッセージを搬送するチャネル：ＰＤＳＣＨ、ＮＰＤＳＣＨ。
・  ダウンリンク制御情報のために予約されたダウンリンク送信における時間周波数領域（ＰＤＣＣＨ、ＰＣＦＩＣＨ、ＰＨＩＣＨ）：ＬＴＥ制御領域およびＥＰＤＣＣＨ用。
・  １つまたは複数の参照信号：ＣＲＳ、ＣＳＩ−ＲＳ、ＮＲＳ、ＰＲＳ。
【００４９】
注目すべきことに、いくつかの実施形態では、ＮＲ無線デバイス１６は、ネットワークノード１４によって決定されたＮＲ予約済みリソースに基づいて、チャネルコーディングレートマッチングパラメータを決定する。
【００５０】
図４は、処理回路４２を含む、本明細書に記載される原理に従って構築された無線デバイス１６のブロック図である。いくつかの実施形態では、処理回路４２は、メモリ４４とプロセッサ４６とを含み得、メモリ４４は、プロセッサ４６によって実行されたとき、プロセッサ４６を、本明細書で説明される１つまたは複数の機能を実施するように設定する、命令を含んでいる。旧来のプロセッサおよびメモリに加えて、処理回路４２は、処理および／または制御のための集積回路要素、たとえば、１つまたは複数のプロセッサおよび／またはプロセッサコアおよび／またはＦＰＧＡ（フィールドプログラマブルゲートアレイ）および／またはＡＳＩＣ（特定用途向け集積回路）を備え得る。
【００５１】
処理回路４２は、メモリ４４を含み、および／またはメモリ４４に接続され、および／またはメモリ４４にアクセスする（たとえば、メモリ４４に書き込むおよび／またはメモリ４４から読み取る）ために設定され得、メモリ４４は、任意の種類の揮発性および／または不揮発性メモリ、たとえば、キャッシュおよび／またはバッファメモリおよび／またはＲＡＭ（ランダムアクセスメモリ）および／またはＲＯＭ（読取り専用メモリ）および／または光メモリおよび／またはＥＰＲＯＭ（消去可能プログラマブル読取り専用メモリ）を含み得る。そのようなメモリ４４は、制御回路要素によって実行可能なコードおよび／または他のデータ、たとえば、通信に関係するデータ、たとえば、ノードの設定および／またはアドレスデータなどを記憶するように設定され得る。たとえば、コードは、プロセッサ４６および／または処理回路４２によって実行可能である、コンピュータ可読プログラムコードおよび／またはコンピュータプログラムであり得る。処理回路４２は、本明細書で説明される方法のいずれかを制御すること、および／またはそのような方法が、たとえば、プロセッサ４６によって実施されることを引き起こすことを行うように設定され得る。対応する命令がメモリ４４に記憶され得、メモリ４４は、処理回路４２にとって読取り可能であり、および／または処理回路４２に読取り可能に接続され得る。言い換えれば、処理回路４２はコントローラを含み得、コントローラは、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを備え得る。処理回路４２は、メモリを含むか、あるいはメモリに接続されるかまたはメモリに接続可能であり得、メモリは、コントローラおよび／または処理回路４２によって読み取り、および／または書き込みを行うためにアクセス可能であるように設定され得る。
【００５２】
メモリ４４は、ネットワークノード１４からトランシーバ５４によって受信されたＲＡＴ情報４８を記憶するように設定される。ＲＡＴ情報４８は、プロセッサ４６によって実装されるＲＡＴ情報処理ユニット２０によって処理される。ＲＡＴ情報処理ユニット２０は、信号／通信中に含まれている、ＬＴＥ／ＮＢ−ＩｏＴ情報など、ＲＡＴ情報を処理するように設定される。１つまたは複数の実施形態では、ＮＲ無線デバイス１６は、１つまたは複数のＮＲ予約済みリソース中で、スケジュールされたＬＴＥおよびＮＢ−ＩｏＴダウンリンク送信を受信するように設定され得る。いくつかの実施形態では、トランシーバ５４は、１つまたは複数の別個の送信機および受信機エレメントを含む。１つまたは複数の実施形態では、第１の無線アクセス技術（ＲＡＴ）と第２のＲＡＴとの間の周波数重複キャリアのサポートを提供するためのコンピュータプログラム製品が提供される。コンピュータプログラム製品は、プロセッサ４６によって実行されたとき、コンピュータプログラム製品に、本明細書で説明されるＮＲ無線デバイス１６の１つまたは複数の機能を実施させる、コンピュータ可読プログラムコードを含む。１つまたは複数の実施形態では、第１の無線アクセス技術（ＲＡＴ）と第２のＲＡＴとの間の周波数重複キャリアのサポートを提供するためのコンピュータプログラムが提供される。コンピュータプログラムは、プロセッサ４６によって実行されたとき、本明細書で説明されるＮＲ無線デバイス１６の１つまたは複数の機能を実施する。
【００５３】
図５は、トランシーバモジュール５５によって受信され、ＲＡＴ情報処理モジュール２１によって処理された、ＲＡＴ情報を記憶するように設定されたメモリモジュール４５を含む、無線デバイス１６の代替実施形態のブロック図である。１つまたは複数の実施形態では、トランシーバモジュール５５は、第２のＲＡＴ情報を受信することと、第１のＲＡＴリソースと第２のＲＡＴリソースとを含む送信を受信することとを行うように設定される。１つまたは複数の実施形態では、ＲＡＴ情報処理モジュール２１は、リソースエレメントレベルにおいて、第２のＲＡＴ情報に基づいて、第２のＲＡＴ送信のために予約されたリソースを決定することと、第２のＲＡＴ情報に少なくとも部分的に基づいて、少なくとも第１のＲＡＴリソースを処理することとを行うように設定される。
【００５４】
ＲＡＴ情報処理モジュール２１は、プロセッサによって実行されるソフトウェアとして実装され得、信号／通信中に含まれている、ＬＴＥ／ＮＢ−ＩｏＴ情報など、ＲＡＴ情報を処理するように設定される。１つまたは複数の実施形態では、ＮＲ無線デバイス１６は、スケジュールされたＬＴＥおよびＮＢ−ＩｏＴダウンリンク送信を受信するように設定され得る。トランシーバモジュール５５は、プロセッサによって実行されるソフトウェアによって部分的に実装され得る。
【００５５】
図６は、ＮＲ無線デバイス１６への、ＬＴＥ／ＮＢ−ＩｏＴ情報など、ＲＡＴ情報を決定およびシグナリングするためのネットワークノード１４における例示的なプロセスのフローチャートである。処理回路２２は、第１のＲＡＴ無線デバイス１６にシグナリングするための第２のＲＡＴ情報を決定することであって、第２のＲＡＴ情報は、第１のＲＡＴ無線デバイス１６が、リソースエレメントレベルにおいて、第２のＲＡＴ送信のために予約されたリソースを決定することを可能にするように設定された、第２のＲＡＴ情報を決定すること（ブロックＳ１００）を行うように設定される。１つまたは複数の実施形態では、処理回路２２は、ＮＲ無線デバイス１６にシグナリングするためのＬＴＥ／ＮＢ−ＩｏＴ情報を決定することであって、ＬＴＥ／ＮＢ−ＩｏＴ情報は、ＮＲ無線デバイス１６が、リソースエレメントレベルにおいて、ＬＴＥ／ＮＢ−ＩｏＴ送信のために予約されたリソースを決定することを可能にするように設定された、ＬＴＥ／ＮＢ−ＩｏＴ情報を決定することを行うように設定される。処理回路２２は、第２のＲＡＴ情報が第１のＲＡＴ無線デバイス１６に通信されることを引き起こすこと（ブロックＳ１０２）を行うように設定される。１つまたは複数の実施形態では、処理回路２２は、ＮＢ−ＩｏＴ情報がＮＲ無線デバイス１６に通信されることを引き起こすように設定される。
【００５６】
１つまたは複数の実施形態では、プロセスは、ＮＲ無線デバイス１６が、ＬＴＥおよびＮＢ−ＩｏＴダウンリンク送信のために使用するために予約された、ＮＲリソースなど、リソースを決定することを可能にするために、ＲＡＴ情報決定ユニット１８を介して、ＮＲ無線デバイス１６にシグナリングするためのＬＴＥ／ＮＢ−ＩｏＴ情報を決定することを含む。１つまたは複数の実施形態では、ＲＡＴ情報は、トランシーバ３４を介して、ＮＲ無線デバイス１６にシグナリングまたは通信される。１つまたは複数の実施形態では、第２のＲＡＴ送信のために予約されたリソースが、第１のシンボルの第１の複数のリソースエレメントを含む。第２のＲＡＴ情報は、第１のＲＡＴ無線デバイス１６が、第１のシンボルの第１の複数のリソースエレメント上での第２のＲＡＴ送信を、第１のシンボルの第２の複数のリソースエレメント上での第１のＲＡＴ送信と区別することを可能にするように設定され、第１の複数のリソースエレメントは、第２の複数のリソースエレメントとは異なる。
【００５７】
１つまたは複数の実施形態では、ネットワークノード１４の機能は、他のノードが、本明細書で説明される１つまたは複数の機能、さらには機能の一部を実施することができるように、ネットワーククラウド１２にわたって分散され得る。たとえば、ネットワークノード１４Ａ、たとえば、ｅノードＢは、本明細書で説明されるシグナリングプロセスの１つまたは複数の機能を実施するように設定され得、ネットワークノード１４Ａと通信している、ネットワークノード１４Ｂ、たとえば、ｇＮＢは、本明細書で説明されるシグナリングプロセスの１つまたは複数の他の機能を実施するように設定される。１つまたは複数の実施形態では、ネットワークノード１４Ａは、本明細書で説明されるように、第１のＲＡＴ無線デバイス１６にシグナリングするための第２のＲＡＴ情報を決定することと、第２のＲＡＴ情報をネットワークノード１４Ｂに送信することによって、第２のＲＡＴ情報が第１のＲＡＴ無線デバイス１６に通信されることを引き起こすこととを行うように設定され、ネットワークノード１４Ｂは、第２のＲＡＴ情報を無線デバイス１６に送信する。１つまたは複数の実施形態では、ＲＡＴ情報は、コアネットワークによって、無線アクセスネットワーク（ＲＡＮ）の一部である、ネットワークノード１４に提供され得る。１つまたは複数の実施形態では、ネットワークノード１４によって実施される機能のうちの１つまたは複数が、コアネットワークによって実施される。
【００５８】
図７は、ＬＴＥ／ＮＢ−ＩｏＴ無線通信に関係する、第２のＲＡＴ情報など、ＲＡＴ情報を処理するためのＮＲ無線デバイス１６における例示的なプロセスのフローチャートである。処理回路４２は、第２のＲＡＴ情報を受信する（ブロックＳ１０４）ように設定される。１つまたは複数の実施形態では、処理回路４２は、ＮＢ−ＩｏＴ情報を受信するように設定される。処理回路４２は、リソースエレメントレベルにおいて、第２のＲＡＴ情報に基づいて、第２のＲＡＴ送信のために予約されたリソースを決定する（ブロックＳ１０６）ように設定される。１つまたは複数の実施形態では、処理回路４２は、リソースエレメントレベルにおいて、ＮＢ−ＩｏＴ情報に基づいて、ＮＢ−ＩｏＴ送信のために予約されたリソースを決定するように設定される。処理回路４２は、第１のＲＡＴリソースと第２のＲＡＴリソースとを含む送信を受信する（ブロックＳ１０８）ように設定される。１つまたは複数の実施形態では、処理回路４２は、ＮＲリソースとＮＢ−ＩｏＴリソースとを含む送信を受信するように設定される。処理回路４２は、第２のＲＡＴ情報に少なくとも部分的に基づいて、少なくとも第１のＲＡＴリソースを処理する（ブロックＳ１１０）ように設定される。１つまたは複数の実施形態では、処理回路４２は、ＮＢ−ＩｏＴ  ＲＡＴ情報に少なくとも部分的に基づいて、少なくともＮＲ  ＲＡＴリソースを処理するように設定される。
【００５９】
１つまたは複数の実施形態では、プロセスは、トランシーバ５４を介して、ネットワークノード１４から信号を受信することであって、信号がＬＴＥ／ＮＢ−ＩｏＴ情報を含んでいる、信号を受信することを含む。１つまたは複数の実施形態では、ＮＲ無線デバイス１６は、スケジュールされたＬＴＥおよびＮＢ−ＩｏＴダウンリンク送信を受信することを可能にされ得る。１つまたは複数の実施形態では、プロセスは、ＲＡＴ情報処理ユニット２０を介して、スケジュールされたＬＴＥおよびＮＢ−ＩｏＴダウンリンク送信を受信するようにＮＲ無線デバイス１６を設定するための、信号中に含まれている、ＬＴＥ／ＮＢ−ＩｏＴ情報を処理することをも含む。
【００６０】
上記でリストされた情報項目１〜１０の説明、およびＮＲ無線デバイス１６によるそれらの処理が、以下のようにさらに説明される。上記の項目１に関して、１つまたは複数のＰＲＢインデックスを含むＲＡＴ情報が、図８および図９に示されているように、ＮＲ無線デバイス１６が周波数次元におけるＮＲキャリアの帯域幅内のＮＢ−ＩｏＴ／ＬＴＥリソースの位置を特定するのを助けるように設定される。詳細には、図８は、ＰＲＢインデックスが、周波数における（１つまたは複数の）ＮＢ−ＩｏＴ  ＰＲＢロケーションを指し、ＮＲ無線デバイス１６がＮＢ−ＩｏＴ  ＰＲＢの位置を特定するのを助けるようにＮＲ無線デバイス１６にシグナリングされ得る、時間周波数グリッドのブロック図である。図９は、ＰＲＢインデックスが、周波数における（１つまたは複数の）ＬＴＥ  ＰＲＢロケーションを指し、ＮＲ無線デバイス１６がＬＴＥ  ＰＲＢの位置を特定するのを助けるようにＮＲ無線デバイス１６にシグナリングされ得る、時間周波数グリッドのブロック図である。１つまたは複数の実施形態では、ＲＡＴ情報は、ＮＲセルとＬＴＥセルとが、サブキャリア整合される（すなわち、ＮＲセルとＬＴＥセルとが同じサブキャリアグリッドを共有する）が、ＰＲＢ整合されない（すなわち、ＰＲＢ境界が整合されない）場合、項目１および項目８において示される情報を含む。
【００６１】
ＲＡＴ情報は、あるＮＲヌメロロジー、たとえば、同期信号ブロック（ＳＳブロック）のために使用されるのと同じヌメロロジーまたはＮＲキャリアを設定するためのヌメロロジーなどに従って、ＮＲサブキャリアインデックスの範囲のフォーマットにおいてシグナリングされ得る。代替的に、ＮＢ−ＩｏＴおよびＬＴＥ  ＰＲＢロケーションは、キャリアオフセット、すなわち、ＮＲキャリアの中心とＮＢ−ＩｏＴまたはＬＴＥキャリアの中心との間のオフセットと、ＬＴＥ／ＮＢ−ＩｏＴ信号の帯域幅の両方を提供することによってシグナリングされ得る。とにかく、そのようなＲＡＴ情報は、ＮＢ−ＩｏＴおよびＬＴＥ  ＰＲＢロケーションを決定するためにＮＲ無線デバイスによって解釈され得る。
【００６２】
項目２に関して、ＮＲセルとＬＴＥ／ＮＢ−ＩｏＴセルとの間のタイミング関係を含むＲＡＴ情報が、ハイパーシステムフレーム番号（Ｈ−ＳＦＮ）、システムフレーム番号（ＳＦＮ）およびサブフレーム番号のうちの１つまたは複数に関して、ＮＲ無線デバイス１６がＮＢ−ＩｏＴ／ＬＴＥフレーム構造を決定することを可能にする。この構成の１つまたは複数の実施形態が図１０において提供され、図１０は、ＮＲ無線デバイス１６がＮＢ−ＩｏＴ／ＬＴＥフレーム構造を決定することを可能にするＲＡＴ情報のブロック図を示す。
【００６３】
たとえば、ＮＲおよびＮＢ−ＩｏＴ／ＬＴＥフレーム構造における参照ポイントがそれぞれ確立されている。参照ポイントは、たとえば、ＮＲおよびＮＢ−ＩｏＴ／ＬＴＥフレーム構造における（Ｈ−ＳＦＮ，ＳＦＮ）＝（０，０）の開始ポイントであり得る。これらの参照ポイントのうちの１つまたは複数が、ＲＡＴ情報中に含まれる。また、１つまたは複数の実施形態では、時間オフセット値がＲＡＴ情報の一部として与えられ得る。代替的に、ＮＲ、ＬＴＥ、およびＮＢ−ＩｏＴは、Ｈ−ＳＦＮ，ＳＦＮ＝（０，０）の開始ポイントまたは任意の他の参照ポイントを整合させ得る。その場合、１つまたは複数の実施形態では、そのようなタイミング関係のシグナリングが省略またはスキップされ得る。
【００６４】
さらに、項目９において説明されたＬＴＥ  ＣＰ情報のシグナリングは、ＮＲ無線デバイスが、ＬＴＥセル中でノーマルサイクリックプレフィックス（ＣＰ）が使用されるのか、拡張ＣＰが使用されるのかを決定することを可能にするためにシグナリングされ得る。１つまたは複数の実施形態では、ノーマルＣＰの場合、ＬＴＥサブフレームごとに１４個のＯＦＤＭシンボルがあり、拡張ＣＰの場合、サブフレームごとに１２個のＯＦＤＭシンボルがある。この情報をシグナリングすることは、ＮＲ無線デバイスが、ＮＰＳＳ、ＮＳＳＳ、ＮＰＢＣＨ、ＰＤＣＣＨ、ＰＣＦＩＣＨ、ＰＨＩＣＨ、ＣＲＳ、ＣＳＩ−ＲＳ、ＰＲＳなどのうちの１つまたは複数を含むＬＴＥ物理チャネルおよび信号によって使用される厳密なリソースを決定することを可能にする。さらに、いくつかのＬＴＥサブフレーム（サブフレーム＃２、＃３、＃４、＃６、＃７、または＃８）が、非ＭＢＳＦＮサブフレームと比較して異なるスロットフォーマットを有する、ＭＢＳＦＮとして設定され得る。どのＬＴＥサブフレームがシグナリングされ得るかに関する説明が、上記に記載された項目１０中に含まれている。
【００６５】
項目１および項目２のＲＡＴ情報の場合、ＮＲ無線デバイスは、図１１に示されているように、ＮＢ−ＩｏＴセル中で使用されるＮＢ−ＩｏＴ  ＮＰＢＣＨ、ＮＰＳＳおよび／またはＮＳＳＳサブフレームを識別することができ、図１１は、ＮＲ無線デバイス１４が、ＮＢ−ＩｏＴセル中で使用されるＮＰＢＣＨ、ＮＰＳＳ、ＮＳＳＳを識別した、時間周波数グリッドのブロック図である。事実上、項目１と項目２とを一緒にシグナリングすることは、図１１に示されているように、ＮＲ予約済みリソースを、ＮＰＢＣＨ、ＮＰＳＳ、およびＮＳＳＳによって占有されたリソースとして設定する。同様に、項目１および項目２の情報の場合、ＮＲ無線デバイス１６は、ＬＴＥセル中で使用されるＬＴＥ  ＰＢＣＨ、ＰＳＳ、およびＳＳＳを識別することができる。事実上、項目１と項目２とを一緒にシグナリングすることは、ＮＲ予約済みリソースを、ＰＢＣＨ、ＰＳＳ、およびＳＳＳによって占有されたリソースとして設定する。
【００６６】
ＰＣＩＤおよび狭帯域参照信号（ＮＲ）／セル固有参照信号（ＣＲＳ）ポートの番号など、項目３において説明された情報をシグナリングすることは、１つまたは複数の実施形態では、ＣＲＳおよびＮＲＳのサブキャリアインデックスがセルＩＤまたはＰＣＩＤによって決定されるので、ＮＲ無線デバイス１６が、ＮＢ−ＩｏＴ  ＮＲＳまたはＬＴＥ  ＣＲＳによって使用されるリソースエレメントの位置を特定することを可能にし得る。さらに、ダウンリンク制御領域の指示など、項目４において説明された情報をシグナリングすることは、ＮＲ無線デバイス１６が、ＬＴＥ制御領域によって使用されるリソースエレメントの位置を特定することを可能にし得る。事実上、項目１、２、３および４において説明された情報を一緒にシグナリングすることは、図１２に示されているように、ＮＢ−ＩｏＴセル中のＮＰＢＣＨ、ＮＰＳＳ、ＮＳＳＳ、狭帯域参照信号（ＮＲＳ）、およびＬＴＥ制御領域によって占有されたリソースとしてＮＲ予約済みリソースを設定する。言い換えれば、ＮＲ無線デバイス１６は、ＮＲ予約済みリソースを決定することが可能であり、これらのＮＲ予約済みリソースは、図１２に示されているように、ＮＢ−ＩｏＴ  ＮＰＢＣＨ、ＮＰＳＳ、ＮＳＳＳ、ＮＲＳおよびＬＴＥ制御領域とマッチまたは一致する。同様に、項目（１）、（２）、（３）、および（４）において説明された情報を一緒にシグナリングすることは、ＬＴＥセル中のＰＢＣＨ、ＰＳＳ、ＳＳＳ、ＣＲＳ、およびＬＴＥ制御領域とマッチまたは一致するようにＮＲ予約済みリソースを設定する。
【００６７】
項目５において説明された情報（すなわち、ＳＩＢ１、ＳＩＢ１−ＢＲ、ＳＩＢ１−ＮＢスケジューリング情報）に関して、この情報は、ＬＴＥ／ＮＢ−ＩｏＴシステム／スケジューリング情報を送信するために使用されるリソースの位置を特定するために使用され得る。一例として、ＮＢ−ＩｏＴを使用して、どの無線フレームがＳＩＢ１−ＮＢ送信を含んでいるかを決定するために、繰返しの数およびセルＩＤが使用される。ＳＩＢ１−ＮＢ送信を含んでいる無線フレームは、ＳＩＢ１−ＮＢを送信するためにサブフレーム＃４を使用し得る。ＳＩＢ１、ＳＩＢ１−ＢＲおよびＳＩＢ１−ＮＢを送信するために使用されるサブフレームは、設定されたＮＲ予約済みリソースの一部であり得る。
【００６８】
項目６において説明された情報（すなわち、ＬＴＥ  （Ｎ）ＰＤＳＣＨ有効サブフレームビットマップパターン）に関して、ＬＴＥ  ＭＴＣおよびＮＢ−ＩｏＴは、いくつかのサブフレームを無効なサブフレームとして指定することができる。サブフレームが無効なサブフレームとして指定されたとき、無効なサブフレームは、これらの無線リソースがＬＴＥ  ＭＴＣ／ＮＢ−ＩｏＴによって使用されないので、ＮＲ予約済みリソースから除外され、それにより、ＮＲ無線デバイス１６が、ＮＲ予約済みリソースから除外するための１つまたは複数のリソースを決定することを可能にすることができる。
【００６９】
項目７において説明された情報（すなわち、ＳＩメッセージスケジューリング情報）に関して、ＬＴＥ  ＭＴＣおよびＮＢ−ＩｏＴのためのＳＩメッセージを搬送する（Ｎ）ＰＤＳＣＨ送信のためのスケジューリング情報は、それぞれ、ＳＩＢ１−ＢＲおよびＳＩＢ１−ＮＢにおいてシグナリングされ得る。ＳＩメッセージスケジューリング情報を含んでいるＳＩＢ１−ＢＲ／ＳＩＢ１−ＮＢ中の情報フィールド、またはＳＩＢ１−ＢＲ／ＳＩＢ１−ＮＢメッセージ全体は、ＮＲ予約済みリソースを設定するか、またはＮＲ無線デバイス１６がＮＲ予約済みリソースを決定することを可能にするのを助けるために、シグナリングされ得る。
【００７０】
要約すれば、項目１〜１０のうちのいずれか１つにおいて説明された情報または本明細書の教示による他のＲＡＴ情報をシグナリングすることによって、ＮＲ予約済みリソースは、非動的にスケジュールされたＬＴＥ／ＮＢ−ＩｏＴダウンリンク送信のために使用される無線リソースに合わせるように設定され得る。１つまたは複数の実施形態では、ＮＲ予約済みリソースは、非動的にスケジュールされたＬＴＥ／ＮＢ−ＩｏＴダウンリンク送信の少なくとも一部分と一致またはマッチし、したがって、ＮＲ無線デバイス１６は、（一実施形態では）リソースエレメントレベルにおいて、ＮＲ送信のためのこれらの非動的ＬＴＥ／ＮＢ−ＩｏＴ送信およびリソースと一致するリソースエレメントを決定することができる。項目１〜１０において説明された情報項目のうちの１つまたは複数が、個々にシグナリングされ得るか、または個々のパラメータの（サブセットの）数個の共通の組合せで、予約済みリソースのどの組合せが使用されるべきかを示すネットワークを用いて（たとえば、テーブル中で）規定され得るかのいずれかであり得る。共通の組合せをあらかじめ規定することは、テスト全体を簡略化し、シグナリングオーバーヘッドを低減することができるが、個々のシグナリングよりも少ないフレキシビリティを有し得る。
【００７１】
それゆえ、項目１〜１０のうちの１つまたは複数において説明されたような、ＲＡＴ情報をシグナリングすることは、ＬＴＥ／ＮＢ−ＩｏＴとのＮＲ共キャリア共存をサポートするためのＮＲ予約済みリソースの設定を可能にし、ＮＲとＬＴＥ／ＮＢ−ＩｏＴとの間のより効率的なリソースの共有を可能にする。さらに、本明細書で説明されるＮＲ予約済みリソースは、有利には、時間次元と周波数次元の両方においてより細かい分解能を用いて識別され、たとえば、リソースエレメントごとになど、リソースエレメントレベルにおいて識別され得る。１つまたは複数の実施形態では、固有リソースエレメントが、ＯＦＤＭシンボル、スロット、リソースブロック、またはサブフレーム内に予約され得る。これは、リソースエレメントのすべてがＬＴＥ／ＮＢ−ＩｏＴのために使用されるとは限らず、これがリソースを浪費するにもかかわらず、ＯＦＤＭシンボル全体がＬＴＥ／ＮＢ−ＩｏＴのためにブランキング／予約され得る、ＯＦＤＭシンボル、スロット、リソースブロックまたはサブフレーム全体を予約することよりも効率的である。
【００７２】
いくつかの例示的な方法：
例１。ｌｏｎｇ  ｔｅｒｍ  ｅｖｏｌｕｔｉｏｎ（ＬＴＥ）および狭帯域モノのインターネット（ＮＢ−ＩＯＴ）無線通信に関係する情報を新しい無線（ＮＲ）無線デバイス１６にシグナリングするように設定されたネットワークノード１４における方法であって、方法は、
ＮＲ無線デバイス１６が、ＬＴＥおよびＮＢ−ＩｏＴダウンリンク送信のために予約されたリソースを決定することを可能にするために、ＮＲ無線デバイス１６にシグナリングするためのＬＴＥ／ＮＢ−ＩｏＴ情報を決定することと、
決定されたＬＴＥ／ＮＢ−ＩｏＴ情報をＮＲ無線デバイス１６にシグナリングすることと
を含む、方法。
【００７３】
例２。ＬＴＥ／ＮＢ−ＩｏＴ情報が、ＬＴＥおよびＮＢ−ＩｏＴのうちの少なくとも１つによって使用される、物理リソースブロック（ＰＲＢ）インデックスを含む、例１に記載の方法。
【００７４】
例３。ＬＴＥ／ＮＢ−ＩｏＴ情報が、ＮＲセルとＬＴＥ／ＮＢ−ＩｏＴセルとの間の周波数関係を含む、例１または２に記載の方法。
【００７５】
例４。ＬＴＥ／ＮＢ−ＩｏＴ情報が、ＮＲセルとＬＴＥ／ＮＢ−ＩｏＴセルとの間のタイミング関係を含む、例１から３のいずれか１つに記載の方法。
【００７６】
例５。ＬＴＥ／ＮＢ−ＩｏＴ情報は、ＬＴＥセルが、サイクリックプレフィックス（ＣＰ）および拡張ＣＰのうちの１つを使用するかどうかの指示を含む、例１から４のいずれか１つに記載の方法。
【００７７】
例６。ＬＴＥ／ＮＢ−ＩｏＴ情報が、物理セル識別情報と参照信号ポートの番号とを含む、例１から５のいずれか１つに記載の方法。
【００７８】
例７。ＬＴＥ／ＮＢ−ＩｏＴ情報が、ＬＴＥダウンリンク制御領域を含む、例１から６のいずれか１つに記載の方法。
【００７９】
例８。ＬＴＥ／ＮＢ−ＩｏＴ情報が、システム情報ブロック（ＳＩＢ）スケジューリング情報を含む、例１から７のいずれか１つに記載の方法。
【００８０】
例９。ＬＴＥ／ＮＢ−ＩｏＴ情報が、ＬＴＥ物理ダウンリンク共有チャネルサブフレームビットマップパターンを含む、例１から８のいずれか１つに記載の方法。
【００８１】
例１０。ＬＴＥ／ＮＢ−ＩｏＴ情報が、システム情報メッセージスケジューリング情報を含む、例１から９のいずれか１つに記載の方法。
【００８２】
例１１。ＬＴＥ／ＮＢ−ＩｏＴ情報が、マルチブロードキャスト単一周波数ネットワーク（ＭＢＳＦＮ）設定情報を含む、例１から１０のいずれか１つに記載の方法。
【００８３】
例１２。ｌｏｎｇ  ｔｅｒｍ  ｅｖｏｌｕｔｉｏｎ（ＬＴＥ）および狭帯域モノのインターネット（ＮＢ−ＩＯＴ）無線通信に関係する情報を新しい無線（ＮＲ）無線デバイス１６にシグナリングするように設定されたネットワークノード１４であって、ネットワークノード１４は、
ＮＲ無線デバイス１６が、ＬＴＥおよびＮＢ−ＩｏＴダウンリンク送信のために使用されるＮＲ予約済みリソースを決定することを可能にするために、ＮＲ無線デバイス１６にシグナリングするための、ＬＴＥ／ＮＢ−ＩｏＴ情報を決定するように設定された処理回路２２と、
決定されたＬＴＥ／ＮＢ−ＩｏＴ情報をＮＲ無線デバイス１６にシグナリングするように設定されたトランシーバ３４と
を含む、ネットワークノード１４。
【００８４】
例１３。ＬＴＥ／ＮＢ−ＩｏＴ情報が、ＬＴＥおよびＮＢ−ＩｏＴのうちの少なくとも１つによって使用される、物理リソースブロック（ＰＲＢ）インデックスを含む、例１２に記載のネットワークノード１４。
【００８５】
例１４。ＬＴＥ／ＮＢ−ＩｏＴ情報が、ＮＲセルとＬＴＥ／ＮＢ−ＩｏＴセルとの間の周波数関係を含む、例１２または１３に記載のネットワークノード１４。
【００８６】
例１５。ＬＴＥ／ＮＢ−ＩｏＴ情報が、ＮＲセルとＬＴＥ／ＮＢ−ＩｏＴセルとの間のタイミング関係を含む、例１２から１４のいずれか１つに記載のネットワークノード１４。
【００８７】
例１６。ＬＴＥ／ＮＢ−ＩｏＴ情報は、ＬＴＥセルが、サイクリックプレフィックス（ＣＰ）および拡張ＣＰのうちの１つを使用するかどうかの指示を含む、例１２から１５のいずれか１つに記載のネットワークノード１４。
【００８８】
例１７。ＬＴＥ／ＮＢ−ＩｏＴ情報が、物理セル識別情報と参照信号ポートの番号とを含む、例１２から１６のいずれか１つに記載のネットワークノード１４。
【００８９】
例１８。ＬＴＥ／ＮＢ−ＩｏＴ情報が、ＬＴＥダウンリンク制御領域を含む、例１２から１７のいずれか１つに記載のネットワークノード１４。
【００９０】
例１９。ＬＴＥ／ＮＢ−ＩｏＴ情報が、システム情報ブロック（ＳＩＢ）スケジューリング情報を含む、例１２から１８のいずれか１つに記載のネットワークノード１４。
【００９１】
例２０。ＬＴＥ／ＮＢ−ＩｏＴ情報が、ＬＴＥ物理ダウンリンク共有チャネルサブフレームビットマップパターンを含む、例１２から１９のいずれか１つに記載のネットワークノード１４。
【００９２】
例２１。ＬＴＥ／ＮＢ−ＩｏＴ情報が、システム情報メッセージスケジューリング情報を含む、例１２から２０のいずれか１つに記載のネットワークノード１４。
【００９３】
例２２。ＬＴＥ／ＮＢ−ＩｏＴ情報が、マルチブロードキャスト単一周波数ネットワーク（ＭＢＳＦＮ）設定情報を含む、例１２から２１のいずれか１つに記載のネットワークノード１４。
【００９４】
例２３。ｌｏｎｇ  ｔｅｒｍ  ｅｖｏｌｕｔｉｏｎ（ＬＴＥ）および狭帯域モノのインターネット（ＮＢ−ＩＯＴ）無線通信に関係する情報を新しい無線（ＮＲ）無線デバイス１６にシグナリングするように設定されたネットワークノード１４であって、ネットワークノード１４は、
ＮＲ無線デバイス１６が、ＬＴＥおよびＮＢ−ＩｏＴダウンリンク送信のために使用されるＮＲ予約済みリソースを決定することを可能にするために、ＮＲ無線デバイス１６にシグナリングするための、ＬＴＥ／ＮＢ−ＩｏＴ情報を決定するように設定されたＬＴＥ／ＮＢ−ＩｏＴ情報決定モジュールと、
決定されたＬＴＥ／ＮＢ−ＩｏＴ情報をＮＲ無線デバイス１６にシグナリングするように設定されたトランシーバモジュール３５と
を含む、ネットワークノード１４。
【００９５】
例２４。ｌｏｎｇ  ｔｅｒｍ  ｅｖｏｌｕｔｉｏｎ（ＬＴＥ）および狭帯域モノのインターネット（ＮＢ−ＩＯＴ）無線通信に関係する情報を有する、ネットワークノードからの信号を受信および処理するように設定された新しい無線（ＮＲ）無線デバイス１６における方法であって、方法は、
ネットワークノードから信号を受信することであって、信号は、ＮＲ無線デバイス１６が、スケジュールされたＬＴＥおよびＮＢ−ＩｏＴダウンリンク送信を受信することを可能にするためのＬＴＥ／ＮＢ−ＩｏＴ情報を含んでいる、信号を受信することと、
スケジュールされたＬＴＥおよびＮＢ−ＩｏＴダウンリンク送信を受信するようにＮＲ無線デバイス１６を設定するための、信号中に含まれている、ＬＴＥ／ＮＢ−ＩｏＴ情報を処理することと
を含む、方法。
【００９６】
例２５。ＮＲ無線デバイス１６が、ＬＴＥおよびＮＢ−ＩｏＴのうちの少なくとも１つによって使用される物理リソースブロック（ＰＲＢ）インデックスを含むＬＴＥ／ＮＢ−ＩｏＴ情報を受信し、周波数におけるＬＴＥ／ＮＢ−ＩｏＴリソースの位置を特定するためにＬＴＥ／ＮＢ−ＩｏＴ情報を使用する、例２４に記載の方法。
【００９７】
例２６。ＮＲ無線デバイス１６は、ＮＲセルとＬＴＥ／ＮＢ−ＩｏＴセルとの間の周波数関係を含むＬＴＥ／ＮＢ−ＩｏＴ情報を受信し、ＮＲサブキャリアとＬＴＥサブキャリアとが整合されるかどうかを決定するためにＬＴＥ／ＮＢ−ＩｏＴ情報を使用する、例２４または２５に記載の方法。
【００９８】
例２７。ＮＲ無線デバイス１６は、ＮＲセルとＬＴＥ／ＮＢ−ＩｏＴセルとの間のタイミング関係を含むＬＴＥ／ＮＢ−ＩｏＴ情報を受信し、ＮＲサブフレーム番号に関してＬＴＥ／ＮＢ−ＩｏＴフレーム構造を決定するためにＬＴＥ／ＮＢ−ＩｏＴ情報を使用する、例２４から２６のいずれか１つに記載の方法。
【００９９】
例２８。ＮＲ無線デバイス１６は、ＬＴＥセルがサイクリックプレフィックス（ＣＰ）および拡張ＣＰのうちの１つを使用するかどうかの指示を含むＬＴＥ／ＮＢ−ＩｏＴ情報を受信し、サブフレーム中の直交周波数分割多重（ＯＦＤＭ）シンボルの数を決定するためにＬＴＥ／ＮＢ−ＩｏＴ情報を使用する、例２４から２７のいずれか１つに記載の方法。
【０１００】
例２９。ＮＲ無線デバイス１６が、物理セル識別情報と参照信号ポートの番号とを含むＬＴＥ／ＮＢ−ＩｏＴ情報を受信し、ＬＴＥ／ＮＢ−ＩｏＴチャネル参照信号によって使用されるリソースエレメントの位置を特定するためにＬＴＥ／ＮＢ−ＩｏＴ情報を使用する、例２４から２８のいずれか１つに記載の方法。
【０１０１】
例３０。ＮＲ無線デバイス１６が、ＬＴＥダウンリンク制御領域を含むＬＴＥ／ＮＢ−ＩｏＴ情報を受信し、ＬＴＥダウンリンク制御領域によって使用されるリソースエレメントの位置を特定するためにＬＴＥ／ＮＢ−ＩｏＴ情報を使用する、例２４から２９のいずれか１つに記載の方法。
【０１０２】
例３１。ＮＲ無線デバイス１６が、システム情報ブロック（ＳＩＢ）スケジューリング情報を含むＬＴＥ／ＮＢ−ＩｏＴ情報を受信し、ＬＴＥ／ＮＢ−ＩｏＴシステム情報を送信するために使用されるリソースの位置を特定するためにＬＴＥ／ＮＢ−ＩｏＴ情報を使用する、例２４から３０のいずれか１つに記載の方法。
【０１０３】
例３２。ＮＲ無線デバイス１６が、ＬＴＥ物理ダウンリンク共有チャネルサブフレームビットマップパターンを含むＬＴＥ／ＮＢ−ＩｏＴ情報を受信し、無効であると見なされたサブフレームを除外するためにＬＴＥ／ＮＢ−ＩｏＴ情報を使用する、例２４から３１のいずれか１つに記載の方法。
【０１０４】
例３３。ＮＲ無線デバイス１６が、システム情報メッセージスケジューリング情報を含むＬＴＥ／ＮＢ−ＩｏＴ情報を受信し、ＮＲ予約済みリソースを設定するためにＬＴＥ／ＮＢ−ＩｏＴ情報を使用する、例２４から３２のいずれか１つに記載の方法。
【０１０５】
例３４。ＬＴＥ／ＮＢ−ＩｏＴ情報が、マルチブロードキャスト単一周波数ネットワーク（ＭＢＳＦＮ）設定情報を含み、どのＬＴＥサブフレームがシグナリングされ得るかを決定するためにＬＴＥ／ＮＢ−ＩｏＴ情報を使用する、例２４から３３のいずれか１つに記載の方法。
【０１０６】
例３５。ＮＲ無線デバイス１６が、決定されたＮＲ予約済みリソースに基づいて、チャネルコーディングレートマッチングパラメータを決定する、例２４から３４のいずれか１つに記載の方法。
【０１０７】
例３６。ｌｏｎｇ  ｔｅｒｍ  ｅｖｏｌｕｔｉｏｎ（ＬＴＥ）および狭帯域モノのインターネット（ＮＢ−ＩＯＴ）無線に関係する情報を有する、ネットワークノード１４からの信号を受信および処理するように設定された新しい無線（ＮＲ）無線デバイス１６であって、ＮＲ無線デバイス１６は、
ネットワークノード１４から信号を受信するように設定されたトランシーバ５４であって、信号は、ＮＲ無線デバイス１６が、ＬＴＥおよびＮＢ−ＩｏＴダウンリンク送信のために使用されるＮＲ予約済みリソースを決定することを可能にするためのＬＴＥ／ＮＢ−ＩｏＴ情報を含んでいる、トランシーバ５４と、
スケジュールされたＬＴＥおよびＮＢ−ＩｏＴダウンリンク送信を受信するようにＮＲ無線デバイス１６を設定するための、信号中に含まれている、ＬＴＥ／ＮＢ−ＩｏＴ情報を処理するように設定された処理回路４２と
を含む、新しい無線（ＮＲ）無線デバイス１６。
【０１０８】
例３７。ＮＲ無線デバイス１６が、ＬＴＥおよびＮＢ−ＩｏＴのうちの少なくとも１つによって使用される物理リソースブロック（ＰＲＢ）インデックスを含むＬＴＥ／ＮＢ−ＩｏＴ情報を受信し、周波数におけるＬＴＥ／ＮＢ−ＩｏＴリソースの位置を特定するためにＬＴＥ／ＮＢ−ＩｏＴ情報を使用する、例３６に記載のＮＲ無線デバイス１６。
【０１０９】
例３８。ＮＲ無線デバイス１６は、ＮＲセルとＬＴＥ／ＮＢ−ＩｏＴセルとの間の周波数関係を含むＬＴＥ／ＮＢ−ＩｏＴ情報を受信し、ＮＲサブキャリアとＬＴＥサブキャリアとが整合されるかどうかを決定するためにＬＴＥ／ＮＢ−ＩｏＴ情報を使用する、例３６または３７に記載のＮＲ無線デバイス１６。
【０１１０】
例３９。ＮＲ無線デバイス１６は、ＮＲセルとＬＴＥ／ＮＢ−ＩｏＴセルとの間のタイミング関係を含むＬＴＥ／ＮＢ−ＩｏＴ情報を受信し、ＮＲサブフレーム番号に関してＬＴＥ／ＮＢ−ＩｏＴフレーム構造を決定するためにＬＴＥ／ＮＢ−ＩｏＴ情報を使用する、例３６から３８のいずれか１つに記載のＮＲ無線デバイス１６。
【０１１１】
例４０。ＮＲ無線デバイス１６は、ＬＴＥセルがサイクリックプレフィックス（ＣＰ）および拡張ＣＰのうちの１つを使用するかどうかの指示を含むＬＴＥ／ＮＢ−ＩｏＴ情報を受信し、サブフレーム中の直交周波数分割多重（ＯＦＤＭ）シンボルの数を決定するためにＬＴＥ／ＮＢ−ＩｏＴ情報を使用する、例３６から３９のいずれか１つに記載のＮＲ無線デバイス１６。
【０１１２】
例４１。ＮＲ無線デバイス１６が、物理セル識別情報と参照信号ポートの番号とを含むＬＴＥ／ＮＢ−ＩｏＴ情報を受信し、ＬＴＥ／ＮＢ−ＩｏＴチャネル参照信号によって使用されるリソースエレメントの位置を特定するためにＬＴＥ／ＮＢ−ＩｏＴ情報を使用する、例３６から４０のいずれか１つに記載のＮＲ無線デバイス１６。
【０１１３】
例４２。ＮＲ無線デバイス１６が、ＬＴＥダウンリンク制御領域を含むＬＴＥ／ＮＢ−ＩｏＴ情報を受信し、ＬＴＥダウンリンク制御領域によって使用されるリソースエレメントの位置を特定するためにＬＴＥ／ＮＢ−ＩｏＴ情報を使用する、例３６から４１のいずれか１つに記載のＮＲ無線デバイス１６。
【０１１４】
例４３。ＮＲ無線デバイス１６が、システム情報ブロック（ＳＩＢ）スケジューリング情報を含むＬＴＥ／ＮＢ−ＩｏＴ情報を受信し、ＬＴＥ／ＮＢ−ＩｏＴシステム情報を送信するために使用されるリソースの位置を特定するためにＬＴＥ／ＮＢ−ＩｏＴ情報を使用する、例３６から４２のいずれか１つに記載のＮＲ無線デバイス１６。
【０１１５】
例４４。ＮＲ無線デバイス１６が、ＬＴＥ物理ダウンリンク共有チャネルサブフレームビットマップパターンを含むＬＴＥ／ＮＢ−ＩｏＴ情報を受信し、無効であると見なされたサブフレームを除外するためにＬＴＥ／ＮＢ−ＩｏＴ情報を使用する、例３６から４３のいずれか１つに記載のＮＲ無線デバイス１６。
【０１１６】
例４５。ＮＲ無線デバイス１６が、システム情報メッセージスケジューリング情報を含むＬＴＥ／ＮＢ−ＩｏＴ情報を受信し、ＮＲ予約済みリソースを設定するためにＬＴＥ／ＮＢ−ＩｏＴ情報を使用する、例３６から４４のいずれか１つに記載のＮＲ無線デバイス１６。
【０１１７】
例４６。ＬＴＥ／ＮＢ−ＩｏＴ情報が、マルチブロードキャスト単一周波数ネットワーク（ＭＢＳＦＮ）設定情報を含み、どのＬＴＥサブフレームがシグナリングされ得るかを決定するためにＬＴＥ／ＮＢ−ＩｏＴ情報を使用する、例３６から４５のいずれか１つに記載のＮＲ無線デバイス１６。
【０１１８】
例４７。ＮＲ無線デバイス１６が、決定されたＮＲ予約済みリソースに基づいて、チャネルコーディングレートマッチングパラメータを決定する、例３６から４６のいずれか１つに記載のＮＲ無線デバイス１６。
【０１１９】
例４８。ｌｏｎｇ  ｔｅｒｍ  ｅｖｏｌｕｔｉｏｎ（ＬＴＥ）および狭帯域モノのインターネット（ＮＢ−ＩＯＴ）に関係する情報を有する、ネットワークノード１４からの信号を受信および処理するように設定された新しい無線（ＮＲ）無線デバイス１６であって、ＮＲ無線デバイス１６は、
ネットワークノード１４から信号を受信するように設定されたトランシーバモジュール５５であって、信号は、ＮＲ無線デバイス１６が、ＬＴＥおよびＮＢ−ＩｏＴダウンリンク送信のために使用されるＮＲ予約済みリソースを決定することを可能にするためのＬＴＥ／ＮＢ−ＩｏＴ情報を含んでいる、トランシーバモジュール５５と、
スケジュールされたＬＴＥおよびＮＢ−ＩｏＴダウンリンク送信を受信するようにＮＲ無線デバイス１６を設定するための、信号中に含まれている、ＬＴＥ／ＮＢ−ＩｏＴ情報を処理するように設定されたＬＴＥ／ＮＢ−ＩｏＴ情報処理モジュール２１と
を含む、新しい無線（ＮＲ）無線デバイス１６。
【０１２０】
いくつかの他の例
本開示の態様によれば、第１の無線アクセス技術（ＲＡＴ）と第２のＲＡＴとの間の周波数重複キャリアのサポートを提供するための、ネットワークノード１４によって実施される方法が提供される。第１のＲＡＴ無線デバイス１６にシグナリングするための第２のＲＡＴ情報が決定され、第２のＲＡＴ情報は、第１のＲＡＴ無線デバイス１６が、リソースエレメントレベルにおいて、第２のＲＡＴ送信のために予約されたリソースを決定することを可能にするように設定される。第２のＲＡＴ情報が第１のＲＡＴ無線デバイス１６に通信されることを引き起こされる。
【０１２１】
この態様の一例によれば、第２のＲＡＴ送信のために予約されたリソースが、第１のシンボルの第１の複数のリソースエレメントを含む。第２のＲＡＴ情報は、第１のＲＡＴ無線デバイス１６が、第１のシンボルの第１の複数のリソースエレメント上での第２のＲＡＴ送信を、第１のシンボルの第２の複数のリソースエレメント上での第１のＲＡＴ送信と区別することを可能にするように設定され、第１の複数のリソースエレメントは、第２の複数のリソースエレメントとは異なる。この態様の一例によれば、第２のＲＡＴ送信のための予約済みリソースは、同期信号送信、マスタ情報ブロック（ＭＩＢ）送信、システム情報ブロック（ＳＩＢ）送信、システム情報（ＳＩ）メッセージ送信、ダウンリンク制御情報送信、および参照信号送信のうちの少なくとも１つのために予約されたリソースに対応する。
【０１２２】
この態様の一例によれば、参照信号送信は、セル固有参照信号の送信を含む。この態様の一例によれば、第２のＲＡＴ情報は、第２のＲＡＴ送信のために使用される少なくとも１つの物理リソースブロック（ＰＲＢ）インデックス、第１のＲＡＴセルと第２のＲＡＴセルとの間のタイミング関係、物理セル識別情報および少なくとも１つの参照信号ポートの少なくとも１つの番号、ならびに第２のＲＡＴダウンリンク制御領域の指示のうちの少なくとも１つを含む。この態様の一例によれば、第２のＲＡＴ情報は、システム情報ブロック（ＳＩＢ）スケジューリング情報、第２のＲＡＴのための物理ダウンリンク共有チャネルビットマップパターン、スケジューリング情報を含むシステム情報（ＳＩ）メッセージ、およびマルチブロードキャスト単一周波数ネットワーク（ＭＢＳＦＮ）設定情報のうちの少なくとも１つを含む。この態様の一例によれば、第２のＲＡＴ情報は、第１のＲＡＴセルと第２のＲＡＴセルとの間の周波数関係を含む。
【０１２３】
この態様の一例によれば、第２のＲＡＴ情報は、第２のＲＡＴセルが、サイクリックプレフィックス（ＣＰ）および拡張ＣＰのうちの１つを使用するかどうかの指示を含む。この態様の一例によれば、第１のＲＡＴは新しい無線（ＮＲ）であり、第２のＲＡＴはロングタームエボリューション（ＬＴＥ）である。
【０１２４】
本開示の別の態様によれば、第１の無線アクセス技術（ＲＡＴ）と第２のＲＡＴとの間の周波数重複キャリアのサポートを提供するためのネットワークノード１４が提供される。ネットワークノード１４は、第１のＲＡＴ無線デバイス１６にシグナリングするための第２のＲＡＴ情報を決定することであって、第２のＲＡＴ情報は、第１のＲＡＴ無線デバイス１６が、リソースエレメントレベルにおいて、第２のＲＡＴ送信のために予約されたリソースを決定することを可能にするように設定された、第２のＲＡＴ情報を決定することと、第２のＲＡＴ情報が第１のＲＡＴ無線デバイスに通信されることを引き起こすこととを行うように設定された処理回路２２を含む。
【０１２５】
この態様の一例によれば、第２のＲＡＴ送信のために予約されたリソースが、第１のシンボルの第１の複数のリソースエレメントを含む。第２のＲＡＴ情報は、第１のＲＡＴ無線デバイス１６が、第１のシンボルの第１の複数のリソースエレメント上での第２のＲＡＴ送信を、第１のシンボルの第２の複数のリソースエレメント上での第１のＲＡＴ送信と区別することを可能にするように設定され、第１の複数のリソースエレメントは、第２の複数のリソースエレメントとは異なる。この態様の一例によれば、第２のＲＡＴ送信のための予約済みリソースは、同期信号送信、マスタ情報ブロック（ＭＩＢ）送信、システム情報ブロック（ＳＩＢ）送信、システム情報（ＳＩ）メッセージ送信、ダウンリンク制御情報送信、および参照信号送信のうちの少なくとも１つのために予約されたリソースに対応する。
【０１２６】
この態様の一例によれば、参照信号送信は、セル固有参照信号の送信を含む。この態様の一例によれば、第２のＲＡＴ情報は、第２のＲＡＴ送信のために使用される少なくとも１つの物理リソースブロック（ＰＲＢ）インデックス、第１のＲＡＴセルと第２のＲＡＴセルとの間のタイミング関係、物理セル識別情報および少なくとも１つの参照信号ポートの少なくとも１つの番号、ならびに第２のＲＡＴダウンリンク制御領域の指示のうちの少なくとも１つを含む。この態様の一例によれば、第２のＲＡＴ情報は、システム情報ブロック（ＳＩＢ）スケジューリング情報、第２のＲＡＴのための物理ダウンリンク共有チャネルビットマップパターン、スケジューリング情報を含むシステム情報（ＳＩ）メッセージ、およびマルチブロードキャスト単一周波数ネットワーク（ＭＢＳＦＮ）設定情報のうちの少なくとも１つを含む。
【０１２７】
この態様の一例によれば、第２のＲＡＴ情報は、第１のＲＡＴセルと第２のＲＡＴセルとの間の周波数関係を含む。この態様の一例によれば、第２のＲＡＴ情報は、第２のＲＡＴセルが、サイクルプレフィックス（ＣＰ）および拡張ＣＰのうちの１つを使用するかどうかの指示を含む。本開示の別の態様によれば、第１の無線アクセス技術（ＲＡＴ）と第２のＲＡＴとの間の周波数重複キャリアをサポートするための、無線デバイス１６によって実施される方法が提供される。第２のＲＡＴ情報が受信される。リソースエレメントレベルにおいて、第２のＲＡＴ情報に基づいて、第２のＲＡＴ送信のために予約されたリソースが決定される。第１のＲＡＴリソースと第２のＲＡＴリソースとを含む送信が受信される。第２のＲＡＴ情報に少なくとも部分的に基づいて、少なくとも第１のＲＡＴリソースが処理される。
【０１２８】
この態様の一例によれば、第２のＲＡＴ情報に少なくとも部分的に基づいて、第２のＲＡＴリソースが処理される。この態様の一例によれば、第２のＲＡＴリソースは、第１のシンボルの第１の複数のリソースエレメントを含む。この態様の一例によれば、リソースエレメントレベルにおいて、第１のシンボルの第１の複数のリソースエレメント上での第２のＲＡＴ送信のための予約済みリソースが、第１のシンボルの第２の複数のリソースエレメント上での第１のＲＡＴ送信のためのリソースと区別され、第１の複数のリソースエレメントは、第２の複数のリソースエレメントとは異なる。
【０１２９】
この態様の一例によれば、第２のＲＡＴ送信のための予約済みリソースは、同期信号送信、マスタ情報ブロック（ＭＩＢ）送信、システム情報ブロック（ＳＩＢ）送信、システム情報（ＳＩ）メッセージ送信、ダウンリンク制御情報送信、および参照信号送信のうちの少なくとも１つのために予約されたリソースに対応する。この態様の一例によれば、参照信号送信は、セル固有参照信号の送信を含む。
【０１３０】
この態様の一例によれば、第２のＲＡＴ情報は、第２のＲＡＴ送信のために使用される少なくとも１つの物理リソースブロック（ＰＲＢ）インデックス、第１のＲＡＴセルと第２のＲＡＴセルとの間のタイミング関係、物理セル識別情報および少なくとも１つの参照信号ポートの少なくとも１つの番号、ならびに第２のＲＡＴダウンリンク制御領域の指示のうちの少なくとも１つを含む。この態様の一例によれば、第２のＲＡＴ情報は、システム情報ブロック（ＳＩＢ）スケジューリング情報、第２のＲＡＴのための物理ダウンリンク共有チャネルビットマップパターン、スケジューリング情報を含むシステム情報（ＳＩ）メッセージ、およびマルチブロードキャスト単一周波数ネットワーク（ＭＢＳＦＮ）設定情報のうちの少なくとも１つを含む。この態様の一例によれば、第２のＲＡＴ情報は、第１のＲＡＴセルと第２のＲＡＴセルとの間の周波数関係を含む。
【０１３１】
この態様の一例によれば、第２のＲＡＴ情報は、第２のＲＡＴセルが、サイクルプレフィックス（ＣＰ）および拡張ＣＰのうちの１つを使用するかどうかの指示を含む。この態様の一例によれば、第１のＲＡＴは新しい無線（ＮＲ）であり、第２のＲＡＴはロングタームエボリューション（ＬＴＥ）である。
【０１３２】
本開示の別の態様によれば、第１の無線アクセス技術（ＲＡＴ）と第２のＲＡＴとの間の周波数重複キャリアをサポートするための無線デバイス１６が提供される。無線デバイス１６は、第２のＲＡＴ情報を受信することと、リソースエレメントレベルにおいて、第２のＲＡＴ情報に基づいて、第２のＲＡＴ送信のために予約されたリソースを決定することと、第１のＲＡＴリソースと第２のＲＡＴリソースとを含む送信を受信することと、第２のＲＡＴ情報に少なくとも部分的に基づいて、少なくとも第１のＲＡＴリソースを処理することとを行うように設定された処理回路４２を含む。
【０１３３】
この態様の一例によれば、処理回路４２は、受信された第２のＲＡＴ情報に少なくとも部分的に基づいて、第２のＲＡＴリソースを処理するようにさらに設定される。この態様の一例によれば、第２のＲＡＴ送信のための予約済みリソースが、第１のシンボルの第１の複数のリソースエレメントを含む。この態様の一例によれば、処理回路４２は、リソースエレメントレベルにおいて、第１のシンボルの第１の複数のリソースエレメント上での第２のＲＡＴ送信のための予約済みリソースを、第１のシンボルの第２の複数のリソースエレメント上での第１のＲＡＴ送信のためのリソースと区別するようにさらに設定され、第１の複数のリソースエレメントは、第２の複数のリソースエレメントとは異なる。
【０１３４】
この態様の一例によれば、第２のＲＡＴ送信のための予約済みリソースは、同期信号送信、マスタ情報ブロック（ＭＩＢ）送信、システム情報ブロック（ＳＩＢ）送信、システム情報（ＳＩ）メッセージ送信、ダウンリンク制御情報送信、および参照信号送信のうちの少なくとも１つのために予約されたリソースに対応する。この態様の一例によれば、参照信号送信は、セル固有参照信号の送信を含む。この態様の一例によれば、第２のＲＡＴ情報は、第２のＲＡＴ送信のために使用される少なくとも１つの物理リソースブロック（ＰＲＢ）インデックス、第１のＲＡＴセルと第２のＲＡＴセルとの間のタイミング関係、物理セル識別情報および少なくとも１つの参照信号ポートの少なくとも１つの番号、ならびに第２のＲＡＴダウンリンク制御領域の指示のうちの少なくとも１つを含む。
【０１３５】
この態様の一例によれば、第２のＲＡＴ情報は、システム情報ブロック（ＳＩＢ）スケジューリング情報、第２のＲＡＴのための物理ダウンリンク共有チャネルビットマップパターン、スケジューリング情報を含むシステム情報（ＳＩ）メッセージ、およびマルチブロードキャスト単一周波数ネットワーク（ＭＢＳＦＮ）設定情報のうちの少なくとも１つを含む。この態様の一例によれば、第２のＲＡＴ情報は、第１のＲＡＴセルと第２のＲＡＴセルとの間の周波数関係を含む。この態様の一例によれば、第２のＲＡＴ情報は、第２のＲＡＴセルが、サイクルプレフィックス（ＣＰ）および拡張ＣＰのうちの１つを使用するかどうかの指示を含む。この態様の一例によれば、第１のＲＡＴは新しい無線（ＮＲ）であり、第２のＲＡＴはロングタームエボリューション（ＬＴＥ）である。
【０１３６】
本開示の別の態様によれば、第１の無線アクセス技術（ＲＡＴ）無線デバイス１６が第１のＲＡＴと第２のＲＡＴとの間の周波数重複キャリアをサポートすることを可能にするための情報を第１のＲＡＴ無線デバイス１６にシグナリングするためのネットワークノード１４が提供される。ネットワークノード１４は、第１のＲＡＴ無線デバイス１６にシグナリングするための第２のＲＡＴ情報を決定することであって、第２のＲＡＴ情報は、第１のＲＡＴ無線デバイス１６が、リソースエレメントレベルにおいて、第２のＲＡＴ送信のために予約されたリソースを決定することを可能にするように設定された、第２のＲＡＴ情報を決定することと、第２のＲＡＴ情報が第１のＲＡＴ無線デバイスに通信されることを引き起こすこととを行うように設定されたＲＡＴ情報決定モジュール１９を含む。
【０１３７】
本開示の別の態様によれば、第１の無線アクセス技術（ＲＡＴ）と第２のＲＡＴとの間の周波数重複キャリアをサポートするための無線デバイス１６が提供される。無線デバイス１６は、第２のＲＡＴ情報を受信することと、第１のＲＡＴリソースと第２のＲＡＴリソースとを含む送信を受信することとを行うように設定されたトランシーバモジュール５５を含む。無線デバイス１６は、リソースエレメントレベルにおいて、第２のＲＡＴ情報に基づいて、第２のＲＡＴ送信のために予約されたリソースを決定することと、第２のＲＡＴ情報に少なくとも部分的に基づいて、少なくとも第１のＲＡＴリソースを処理することとを行うように設定されたＲＡＴ情報処理モジュール２１を含む。
【０１３８】
本開示の別の態様によれば、第１の無線アクセス技術（ＲＡＴ）と第２のＲＡＴとの間の周波数重複キャリアのサポートを提供するためのコンピュータプログラム製品が提供される。コンピュータプログラム製品は、プロセッサ２６によって実行されたとき、コンピュータプログラム製品に、本明細書で説明されるネットワークノード１４の１つまたは複数の機能を実施させる、コンピュータ可読プログラムコードを備える。
【０１３９】
本開示の別の態様によれば、第１の無線アクセス技術（ＲＡＴ）と第２のＲＡＴとの間の周波数重複キャリアのサポートを提供するためのコンピュータプログラム製品が提供される。コンピュータプログラム製品は、プロセッサ４６によって実行されたとき、コンピュータプログラム製品に、本明細書で説明されるＮＲ無線デバイス１６の１つまたは複数の機能を実施させる、コンピュータ可読プログラムコードを備える。
【０１４０】
本開示の別の態様によれば、第１の無線アクセス技術（ＲＡＴ）と第２のＲＡＴとの間の周波数重複キャリアのサポートを提供するためのコンピュータプログラムが提供される。コンピュータプログラムは、プロセッサ２６によって実行されたとき、本明細書で説明されるネットワークノード１４の１つまたは複数の機能を実施する。
【０１４１】
本開示の別の態様によれば、第１の無線アクセス技術（ＲＡＴ）と第２のＲＡＴとの間の周波数重複キャリアのサポートを提供するためのコンピュータプログラムが提供される。コンピュータプログラムは、プロセッサ４６によって実行されたとき、本明細書で説明されるＮＲ無線デバイス１６の１つまたは複数の機能を実施する。
【０１４２】
略語  説明
ＣＰ  サイクリックプレフィックス
ＣＲＳ  セル固有参照信号
ＣＳＩ−ＲＳ  チャネル状態情報参照信号
ＭＢＳＦＮ  マルチキャストブロードキャスト単一周波数ネットワーク
ＭＩＢ  マスタ情報ブロック
ＭＩＢ−ＮＢ  ＮＢ−ＩｏＴのためのマスタ情報ブロック
ＮＰＢＣＨ  狭帯域物理ブロードキャストチャネル
ＮＰＤＳＣＨ  狭帯域物理ダウンリンク共有チャネル
ＮＰＳＳ  狭帯域１次同期信号
ＮＲＳ  狭帯域参照信号
ＮＳＳＳ  狭帯域２次同期信号
ＯＦＤＭ  直交周波数分割多重
ＰＢＣＨ  物理ブロードキャストチャネル
ＰＣＦＩＣＨ  物理制御フォーマットインジケータチャネル
ＰＤＣＣＨ  物理ダウンリンク制御チャネル
ＰＤＳＣＨ  物理ダウンリンク共有チャネル
ＰＨＩＣＨ  物理ハイブリッド自動再送要求指示チャネル
ＰＲＢ  物理リソースブロック
ＰＲＳ  測位参照信号
ＰＳＳ  １次同期信号
ＳＩＢ−ＮＢ  ＮＢ−ＩｏＴのためのシステム情報ブロック１
ＳＩＢ１  システム情報ブロック１
ＳＳＳ  ２次同期信号
【０１４３】
当業者によって諒解されるように、本明細書で説明される概念のうちのいくつかは、方法、データ処理システム、および／またはコンピュータプログラム製品として具現され得る。したがって、本明細書で説明される概念は、完全にハードウェアの実施形態、完全にソフトウェアの実施形態、またはソフトウェア態様とハードウェア態様とを組み合わせる実施形態の形態をとり得、これらはすべて、本明細書では概して「回路」または「モジュール」と呼ばれることがある。さらに、本開示は、コンピュータによって実行され得る媒体において具現されるコンピュータプログラムコードを有する、有形コンピュータ使用可能記憶媒体上のコンピュータプログラム製品の形態をとり得る。ハードディスク、ＣＤ−ＲＯＭ、電子ストレージデバイス、光ストレージデバイス、または磁気ストレージデバイスを含む、任意の好適な有形コンピュータ可読媒体が利用され得る。
【０１４４】
いくつかの実施形態が、方法、システムおよびコンピュータプログラム製品のフローチャートの例示図および／またはブロック図を参照しながら本明細書で説明された。フローチャートの例示図および／またはブロック図の各ブロック、ならびにフローチャートの例示図および／またはブロック図中のブロックの組合せが、コンピュータプログラム命令によって実装され得ることを理解されよう。これらのコンピュータプログラム命令は、（専用コンピュータをそれにより作成する）汎用コンピュータ、専用コンピュータ、または機械を製造するための他のプログラマブルデータ処理装置のプロセッサに与えられ得、その結果、コンピュータまたは他のプログラマブルデータ処理装置のプロセッサを介して実行される命令は、フローチャートおよび／またはブロック図の１つまたは複数のブロックにおいて指定された機能／行為を実装するための手段を作成する。
【０１４５】
これらのコンピュータプログラム命令はまた、コンピュータまたは他のプログラマブルデータ処理装置に特定の様式で機能するように指示することができるコンピュータ可読メモリまたは記憶媒体に記憶され得、その結果、コンピュータ可読メモリに記憶された命令は、フローチャートおよび／またはブロック図の１つまたは複数のブロックにおいて指定された機能／行為を実装する命令手段を含む製造品を製造する。
【０１４６】
コンピュータプログラム命令はまた、コンピュータ実装プロセスを生成するために、一連の動作ステップをコンピュータまたは他のプログラマブル装置上で実施させるように、コンピュータまたは他のプログラマブルデータ処理装置にロードされ得、その結果、コンピュータまたは他のプログラマブル装置上で実行される命令は、フローチャートおよび／またはブロック図の１つまたは複数のブロックにおいて指定された機能／行為を実装するためのステップを提供する。
【０１４７】
ブロック中で言及される機能／行為は、動作の例示図中で言及される順序から外れて行われ得ることを理解されたい。たとえば、関与する機能／行為に応じて、連続して示されている２つのブロックが、事実上、実質的にコンカレントに実行され得るか、またはブロックが、時々、逆の順序で実行され得る。図のうちのいくつかは、通信の主要な方向を示すために通信経路上に矢印を含むが、図示された矢印に対して反対方向の通信が行われ得ることを理解されたい。
【０１４８】
本明細書で説明される概念の動作を行うためのコンピュータプログラムコードが、Ｊａｖａ（登録商標）またはＣ＋＋など、オブジェクト指向プログラミング言語で書かれ得る。しかしながら、本開示の動作を行うためのコンピュータプログラムコードは、「Ｃ」プログラミング言語など、従来の手続き型プログラミング言語でも書かれ得る。プログラムコードは、完全にユーザのコンピュータ上で、部分的にユーザのコンピュータ上で、スタンドアロンソフトウェアパッケージとして、部分的にユーザのコンピュータ上でおよび部分的にリモートコンピュータ上で、あるいは完全にリモートコンピュータ上で実行し得る。後者のシナリオでは、リモートコンピュータは、ローカルエリアネットワーク（ＬＡＮ）またはワイドエリアネットワーク（ＷＡＮ）を通してユーザのコンピュータに接続され得るか、あるいは接続は、（たとえば、インターネットサービスプロバイダを使用してインターネットを通して）外部コンピュータに対して行われ得る。
【０１４９】
多くの異なる実施形態が、上記の説明および図面に関して本明細書で開示された。これらの実施形態のあらゆる組合せおよび部分組合せを文字通り説明および例示することは、過度に繰返しが多く、不明瞭にすることを理解されよう。それに応じて、すべての実施形態が任意のやり方および／または組合せで組み合わせられ得、図面を含む本明細書は、本明細書で説明される実施形態のすべての組合せおよび部分組合せ、ならびにそれらを作り、使用する様式およびプロセスの完全な説明を構成すると解釈されたく、任意のそのような組合せまたは部分組合せに対する請求をサポートするものとする。
【０１５０】
本明細書で説明される実施形態は、上記で本明細書で特に示され、説明されたことに限定されないことが当業者によって諒解されよう。さらに、そうでないことが上記で述べられていない限り、添付の図面のすべてが一定の縮尺であるとは限らないことに留意されたい。上記の教示に照らして、以下の特許請求の範囲から逸脱することなく、様々な修正および変形が可能である。
【図１】
2020512778.tif 000003
【図２】
2020512778.tif 000004
【図３】
2020512778.tif 000005
【図４】
2020512778.tif 000006
【図５】
2020512778.tif 000007
【図６】
2020512778.tif 000008
【図７】
2020512778.tif 000009
【図８】
2020512778.tif 000010
【図９】
2020512778.tif 000011
【図１０】
2020512778.tif 000012
【図１１】
2020512778.tif 000013
【図１２】
2020512778.tif 000014
【国際調査報告】
2020512778.tif 000015
2020512778.tif 000016
2020512778.tif 000017